(57)【要約】【課題】複数のコンデンサへの電流の流し方を直列・並列に切替可能な切替スイッチを有したり、コンデンサユニットの電極における本体部の端に立設する非平行部を設けて、「簡素化」や「取得電位差の増加」等を図る。【解決手段】入力電流Ｘを複数のコンデンサ２に充電し、複数のコンデンサ２から出力電流Ｙを放電する充放電回路１で、複数のコンデンサ２に電流を直列に流し得る直列電流状態Ｊ１と、電流を並列に流し得る並列電流状態Ｊ２とに切替可能な切替スイッチ３と、複数のコンデンサ２からの出力電流Ｙの放電を開始する放電スイッチ４も有する。又、一対の電極１０２を有したコンデンサユニット１で、一対の電極１０２の両方は、互いに略平行な本体部１０３をそれぞれ備え、一対の電極１０２のうち少なくとも一方は、本体部１０３の端にもう一方の電極側へ立設し且つもう一方の電極とは略平行でない非平行部１０４も備える。
2018207761.tif 000002
【特許請求の範囲】
【請求項１】
入力電流（Ｘ）を複数のコンデンサ（２）に充電し、これら複数のコンデンサ（２）から出力電流（Ｙ）を放電する充放電回路であって、
前記複数のコンデンサ（２）に電流を直列に流し得る直列電流状態（Ｊ１）と、前記複数のコンデンサ（２）に電流を並列に流し得る並列電流状態（Ｊ２）とに切替可能な切替スイッチ（３）を有し、
この切替スイッチ（３）とは別に、前記複数のコンデンサ（２）からの出力電流（Ｙ）の放電を開始する放電スイッチ（４）も有していることを特徴とする充放電回路。
【請求項２】
前記複数のコンデンサ（２）を直列に接続した直列配線（５）を有し、
この直列配線（５）は、隣接する２つのコンデンサ（２）の間それぞれに、アノードからカソードへの順方向を揃えた中間ダイオード（６）が配設され、
前記中間ダイオード（６）のアノード側と当該アノード側に隣接するコンデンサとのアノード・コンデンサ間（７Ａ）それぞれを、前記直列配線（５）の端に位置し且つ中間ダイオード（６）のカソード側のみに隣接するカソード端コンデンサ（２Ｋ）における中間ダイオードとは反対側のカソード端外側電極（８Ｋ）に接続したアノード並列配線（９Ａ）と、
前記中間ダイオード（６）のカソード側と当該カソード側に隣接するコンデンサとのカソード・コンデンサ間（７Ｋ）それぞれを、前記直列配線（５）の端に位置し且つ中間ダイオード（６）のアノード側のみに隣接するアノード端コンデンサ（２Ａ）における中間ダイオードとは反対側のアノード端外側電極（８Ａ）に接続したカソード並列配線（９Ｋ）とを有し、
前記アノード並列配線（９Ａ）に前記切替スイッチ（３）が配設され、前記カソード並列配線（９Ｋ）に前記カソード・コンデンサ間（７Ｋ）からアノード端外側電極（８Ａ）に向かって順方向に並列用ダイオード（１０）が配設されている、
前記カソード並列配線（９Ｋ）に前記切替スイッチ（３）が配設され、前記アノード並列配線（９Ａ）に前記カソード端外側電極（８Ｋ）からアノード・コンデンサ間（７Ａ）に向かって順方向に並列用ダイオード（１０）が配設されている、又は、
前記アノード並列配線（９Ａ）及びカソード並列配線（９Ｋ）に前記切替スイッチ（３）が配設されていることを特徴とする請求項１に記載の充放電回路。
【請求項３】
前記複数のコンデンサ（２）を直列に接続した直列配線（５’）を有し、
この直列配線（５’）は、隣接する２つのコンデンサ（２）の間それぞれに、アノードからカソードへの順方向を揃えた中間ダイオード（６’）が配設され、
前記中間ダイオード（６’）のアノード側と当該アノード側に隣接するコンデンサとのアノード・コンデンサ間（７Ａ’）それぞれを、前記直列配線（５’）の端に位置し且つ中間ダイオード（６’）のカソード側のみに隣接するカソード端コンデンサ（２Ｋ’）における中間ダイオードとは反対側のカソード端外側電極（８Ｋ’）に接続したアノード並列配線（９Ａ’）と、
前記中間ダイオード（６’）のカソード側と当該カソード側に隣接するコンデンサとのカソード・コンデンサ間（７Ｋ’）それぞれを、前記直列配線（５’）の端に位置し且つ中間ダイオード（６’）のアノード側のみに隣接するアノード端コンデンサ（２Ａ’）における中間ダイオードとは反対側のアノード端外側電極（８Ａ’）に接続したカソード並列配線（９Ｋ’）とを有し、
前記アノード並列配線（９Ａ’）に前記切替スイッチ（３）が配設され、前記カソード並列配線（９Ｋ’）に前記カソード・コンデンサ間（７Ｋ’）からアノード端外側電極（８Ａ’）に向かって順方向に並列用ダイオード（１０’）が配設されている、
前記カソード並列配線（９Ｋ’）に前記切替スイッチ（３）が配設され、前記アノード並列配線（９Ａ’）に前記カソード端外側電極（８Ｋ’）からアノード・コンデンサ間（７Ａ’）に向かって順方向に並列用ダイオード（１０’）が配設されている、又は、
前記アノード並列配線（９Ａ’）及びカソード並列配線（９Ｋ’）に前記切替スイッチ（３）が配設されていることを特徴とする請求項１に記載の充放電回路。
【請求項４】
前記切替スイッチ（３）による切替と前記放電スイッチ（４）による放電開始を周期的に行うタイマー部（１１）を有し、
このタイマー部（１１）の電源端子（１２）を、前記カソード端コンデンサ（２Ｋ）又はアノード端コンデンサ（２Ａ）と当該コンデンサ（２Ｋ、２Ａ）に隣接する中間ダイオード（６）とのダイオード・コンデンサ間（７Ｄ）に接続したタイマー電源配線（１３）を有し、
このタイマー電源配線（１３）に、前記ダイオード・コンデンサ間（７Ｄ）から電源端子（１２）に向かって順方向に電源用ダイオード（１４）が配設されていることを特徴とする請求項２に記載の充放電回路。
【請求項５】
請求項４に記載の充放電回路（１）を備え、この充放電回路（１）から放電される出力電流（Ｙ）を用いて、電路（Ｒ）の通電を検査する検電器であって、
前記充放電回路（１）におけるアノード端外側電極（８Ａ）とカソード端外側電極（８Ｋ）それぞれに接続された一対のゲート電極（２１）を備え、
この一対のゲート電極（２１）を前記電路（Ｒ）の通電により生じる電界（Ｅ）内に位置させた際に、前記一対のゲート電極（２１）間の電位差による入力電流（Ｘ）を前記複数のコンデンサ（２）に充電し、
前記複数のコンデンサ（２）から周期的に放電される出力電流（Ｙ）で点滅する発光部（２２）を備えていることを特徴とする検電器。
【請求項６】
前記電路（Ｒ）は交流電路（Ｒ’）であって、
この交流電路（Ｒ’）から交流電流を直流電流に変換する整流器（２３）を備え、
この整流器（２３）からの直流電流が、前記入力電流（Ｘ）として複数のコンデンサ（２）に充電され、
前記複数のコンデンサ（２）への充電時に切替スイッチ（３）により前記直列電流状態（Ｊ１）とされ、前記複数のコンデンサ（２）からの放電前に切替スイッチ（３）により前記並列電流状態（Ｊ２）とされ、
前記並列電流状態（Ｊ２）とされた後に、前記放電スイッチ（４）により出力電流（Ｙ）の放電を開始することを特徴とする請求項５に記載の検電器。
【請求項７】
一対の電極（１０２）を有したコンデンサユニット（１０１）を備え、このコンデンサユニット（１０１）からの電流を、請求項３に記載の充放電回路（１）における複数のコンデンサ（２）に充電して、電路（Ｒ）の通電を検査し、
前記一対の電極（１０２）の両方は、互いに略平行な本体部（１０３）をそれぞれ備え、
前記一対の電極（１０２）のうち一方のみ又は両方は、前記本体部（１０３）の端にもう一方の電極側へ立設し且つ前記もう一方の電極とは略平行でない非平行部（１０４）も備えていることを特徴とする請求項５又は６に記載の検電器。
【請求項８】
一対の電極（１０２）を有したコンデンサユニットであって、
前記一対の電極（１０２）の両方は、互いに略平行な本体部（１０３）をそれぞれ備え、
前記一対の電極（１０２）のうち一方のみ又は両方は、前記本体部（１０３）の端にもう一方の電極側へ立設し且つ前記もう一方の電極とは略平行でない非平行部（１０４）も備えていることを特徴とするコンデンサユニット。
【請求項９】
前記一対の電極（１０２）を保持するケーシング（１０５）を有し、
このケーシング（１０５）は、前記一対の電極（１０２）それぞれの本体部（１０３）を保持する一対の本体側部（１０６）と、これらの本体側部（１０６）それぞれの端から立設し且つ前記一対の本体側部（１０６）の間を連結する連結側部（１０７）を備え、
前記一対の電極（１０２）のうち一方が前記ケーシング（１０５）の内面に導電素材を被覆して構成された被覆電極（１０２’）であり、且つ、前記一対の電極（１０２）のうち他方が金属プレート（１０２”）で構成され、又は、
前記一対の電極（１０２）の両方が前記ケーシング（１０５）の内面に導電素材を被覆して構成された被覆電極（１０２’）であり、
前記被覆電極（１０２’）が前記本体部（１０３）及び非平行部（１０４）を備えている場合には、前記本体部（１０３）が前記ケーシング（１０５）の本体側部（１０６）の内面に導電素材を被覆して構成され、前記非平行部（１０４）は前記ケーシング（１０５）の連結側部（１０７）の内面に導電素材を被覆して構成され、
前記被覆電極（１０２’）が前記本体部（１０３）のみを備えている場合には、前記本体部（１０３）が前記ケーシング（１０５）の本体側部（１０６）の内面のみに導電素材を被覆して構成されていることを特徴とする請求項８に記載のコンデンサユニット。
【請求項１０】
前記導電素材は、蒸着によって、前記ケーシング（１０５）の内面に被覆されていることを特徴とする請求項９に記載のコンデンサユニット。
【請求項１１】
請求項８〜１０の何れか１つに記載のコンデンサユニット（１０１）を備え、このコンデンサユニット（１０１）からの電流を用いて、電路（Ｒ）の通電を検査する検電器であって、
当該検電器を前記電路（Ｒ）の通電により生じる電界（Ｅ）内に位置させた際に、前記コンデンサユニット（１０１）の一対の電極（１０２）間の電位差による電流で点灯する発光部（１１１）を備え、
前記コンデンサユニット（１０１）のケーシング（１０５）は、当該検電器のケーシング（１１２）を兼用していることを特徴とする検電器。
【請求項１２】
前記一対の電極（１０２）のうち、一方は前記本体部（１０３）と非平行部（１０４）を備えた被覆電極（１０２’）であり、他方は前記本体部（１０３）のみを備えた金属プレート（１０２”）であり、
前記一対の電極（１０２）のうち、一方の被覆電極（１０２’）は、他方の金属プレート（１０２”）より前記電路（Ｒ）から遠くに位置し、
前記一対の電極（１０２）のうち、一方の被覆電極（１０２’）の本体部（１０３）は、他方の金属プレート（１０２”）の本体部（１０３）と略同じ大きさ又はより大きいことを特徴とする請求項１１に記載の検電器。
【請求項１３】
前記電路（Ｒ）は長手方向（Ｌ）を有し、
前記コンデンサユニット（１０１）からの電流を蓄電装置（１３２）に充電し、この蓄電装置（１３２）から放電する電流で前記発光部（１１１）を点灯させる充放電回路（１３１）を備え、
この充放電回路（１３１）の基板（１３３）では、前記電路（Ｒ）の長手方向（Ｌ）と略平行な配線が、前記電路（Ｒ）の長手方向（Ｌ）と略平行でない配線より少ないことを特徴とする請求項１１又は１２に記載の検電器。
【請求項１４】
一対の電極（１０２）を保持するケーシング（１０５）を有したコンデンサユニット（１０１）を備えていて、
前記一対の電極（１０２）のうち一方が前記ケーシング（１０５）の内面に導電素材を被覆して構成された被覆電極（１０２’）であり、且つ、前記一対の電極（１０２）のうち他方が金属プレート（１０２”）で構成され、又は、
前記一対の電極（１０２）の両方が前記ケーシング（１０５）の内面に導電素材を被覆して構成された被覆電極（１０２’）であり、
前記導電素材は、蒸着によって、前記ケーシング（１０５）の内面に被覆され、
前記コンデンサユニット（１０１）からの電流を用いて、電路（Ｒ）の通電を検査する検電器であって、
当該検電器を前記電路（Ｒ）の通電により生じる電界（Ｅ）内に位置させた際に、前記コンデンサユニット（１０１）の一対の電極（１０２）間の電位差による電流で点灯する発光部（１１１）を備え、
前記コンデンサユニット（１０１）のケーシング（１０５）は、当該検電器のケーシング（１１２）を兼用し、
前記電路（Ｒ）は長手方向（Ｌ）を有し、
前記コンデンサユニット（１０１）からの電流を蓄電装置（１３２）に充電し、この蓄電装置（１３２）から放電する電流で前記発光部（１１１）を点灯させる充放電回路（１３１）を備え、
この充放電回路（１３１）の基板（１３３）では、前記電路（Ｒ）の長手方向（Ｌ）と略平行な配線が、前記電路（Ｒ）の長手方向（Ｌ）と略平行でない配線より少ないことを特徴とする検電器。
【発明の詳細な説明】
【技術分野】
【０００１】
本発明は、入力電流をコンデンサに充電し、コンデンサから出力電流を放電する充放電回路、この充放電回路を備え、当該充放電回路から放電される出力電流を用いて電路の通電を検査する検電器や、一対の電極を有したコンデンサユニット、及び、このコンデンサユニットを備え、当該コンデンサユニットからの電流を用いて、電路の通電を検査する検電器に関する。
【背景技術】
【０００２】
従来、コンデンサを充電するコンデンサ充電装置（詳しくは、スイッチ駆動信号に応じてオンするスイッチ手段と変圧器の一次巻線とが直列に接続された回路に電源電圧が印加され、前記変圧器の二次巻線に接続され得るコンデンサを充電するコンデンサ充電装置）が知られている（特許文献１参照）。
このコンデンサ充電装置は、前記スイッチ駆動信号が発生されて前記スイッチ手段がオンしているときに、前記一次巻線に流れる一次電流に応じた一次電流検出信号を検出する一次電流検出手段と、前記一次電流検出信号がピーク検出用所定値に達したときに、前記スイッチ駆動信号を停止して前記スイッチ手段をオフするための一次電流ピーク検出信号を発生する一次電流ピーク検出回路と、前記一次電流ピーク検出信号を受けてオフ時間の計時を開始し、そのオフ時間を計時したときに、前記スイッチ駆動信号を発生し前記スイッチ手段をオンするためのオフ時間終了信号を発生するオフ時間検出回路とを備える。【０００３】
従来、電気二重層コンデンサが知られている（特許文献２参照）。
このコンデンサは、電解液中に対向させて配した一対の分極性電極と、各分極性電極の外面に接続した一対の導電性電極を備えてなる電気二重層コンデンサであって、導電性電極と分極性電極を一体化した一対の電極ユニットを形成し、各電極ユニットを規制部材により定位置に保持してなる。
【先行技術文献】
【特許文献】
【０００４】
【特許文献１】特開２００６−８１３２１号公報
【特許文献２】特開平５−１５９９７５号公報
【発明の概要】
【発明が解決しようとする課題】
【０００５】
しかしながら、特許文献１に記載されたコンデンサ充電装置は、そもそも変圧器の他、一次電流検出信号を検出する一次電流検出手段や、一次電流ピーク検出信号を発生する一次電流ピーク検出回路、及び、オフ時間終了信号を発生するオフ時間検出回路までも必須としており、装置の複雑化・大型化を招いている（特に、特許文献１の図１）。【０００６】
又、しかしながら、特許文献２に記載されたコンデンサは、一対の分極性電極の両方が平板状で（特許文献２の図１、２、４、７）、一対の分極性電極を平行に配しており（特許文献２の段落００１６、００２９）、例えば、既に発生している電界（高圧な電流が流れることで電路近傍に発生する電界など）内に位置させても、これら一対の分極性電極間に十分な電位差が生じず、この電位差を用いても  ＬＥＤなどの素子を駆動させることが困難であった。
尚、特許文献２に記載のコンデンサは、一対の分極性電極間に配した複数の絶縁ブリッジなどの規制部材を必須としており、コンデンサとしての部品数増加・複雑化を招いているとも言える（特許文献２の請求項１、２や、図１、４、７等）。【０００７】
本発明は、このような点に鑑み、複数のコンデンサへの電流の流し方を直列・並列に切替可能な切替スイッチとは別に、複数のコンデンサからの放電を開始する放電スイッチも有することで、充放電回路や検電器の「簡素化」などを実現することを目的とする。
又、本発明は、このような点に鑑み、コンデンサユニットの電極における本体部の端に立設する非平行部を設けることで、所定の電界内における電極間の「取得電位差の増加」等をコンデンサユニットや検電器で実現することを目的とする。
尚、本発明は、「部品数低減」や「簡素化」などを、コンデンサユニットや検電器で実現することも目的とするとも言える。
【課題を解決するための手段】
【０００８】
本発明に係る充放電回路１は、入力電流Ｘを複数のコンデンサ２に充電し、これら複数のコンデンサ２から出力電流Ｙを放電する充放電回路であって、前記複数のコンデンサ２に電流を直列に流し得る直列電流状態Ｊ１と、前記複数のコンデンサ２に電流を並列に流し得る並列電流状態Ｊ２とに切替可能な切替スイッチ３を有し、この切替スイッチ３とは別に、前記複数のコンデンサ２からの出力電流Ｙの放電を開始する放電スイッチ４も有していることを第１の特徴とする。【０００９】
本発明に係る充放電回路１の第２の特徴は、第１の特徴に加えて、前記複数のコンデンサ２を直列に接続した直列配線５を有し、この直列配線５は、隣接する２つのコンデンサ２の間それぞれに、アノードからカソードへの順方向を揃えた中間ダイオード６が配設され、前記中間ダイオード６のアノード側と当該アノード側に隣接するコンデンサとのアノード・コンデンサ間７Ａそれぞれを、前記直列配線５の端に位置し且つ中間ダイオード６のカソード側のみに隣接するカソード端コンデンサ２Ｋにおける中間ダイオードとは反対側のカソード端外側電極８Ｋに接続したアノード並列配線９Ａと、前記中間ダイオード６のカソード側と当該カソード側に隣接するコンデンサとのカソード・コンデンサ間７Ｋそれぞれを、前記直列配線５の端に位置し且つ中間ダイオード６のアノード側のみに隣接するアノード端コンデンサ２Ａにおける中間ダイオードとは反対側のアノード端外側電極８Ａに接続したカソード並列配線９Ｋとを有し、前記アノード並列配線９Ａに前記切替スイッチ３が配設され、前記カソード並列配線９Ｋに前記カソード・コンデンサ間７Ｋからアノード端外側電極８Ａに向かって順方向に並列用ダイオード１０が配設されている、前記カソード並列配線９Ｋに前記切替スイッチ３が配設され、前記アノード並列配線９Ａに前記カソード端外側電極８Ｋからアノード・コンデンサ間７Ａに向かって順方向に並列用ダイオード１０が配設されている、又は、前記アノード並列配線９Ａ及びカソード並列配線９Ｋに前記切替スイッチ３が配設されている点にある。【００１０】
本発明に係る充放電回路１の第３の特徴は、第１の特徴に加えて、前記複数のコンデンサ２を直列に接続した直列配線５’を有し、この直列配線５’は、隣接する２つのコンデンサ２の間それぞれに、アノードからカソードへの順方向を揃えた中間ダイオード６’が配設され、前記中間ダイオード６’のアノード側と当該アノード側に隣接するコンデンサとのアノード・コンデンサ間７Ａ’それぞれを、前記直列配線５’の端に位置し且つ中間ダイオード６’のカソード側のみに隣接するカソード端コンデンサ２Ｋ’における中間ダイオードとは反対側のカソード端外側電極８Ｋ’に接続したアノード並列配線９Ａ’と、前記中間ダイオード６’のカソード側と当該カソード側に隣接するコンデンサとのカソード・コンデンサ間７Ｋ’それぞれを、前記直列配線５’の端に位置し且つ中間ダイオード６’のアノード側のみに隣接するアノード端コンデンサ２Ａ’における中間ダイオードとは反対側のアノード端外側電極８Ａ’に接続したカソード並列配線９Ｋ’とを有し、前記アノード並列配線９Ａ’に前記切替スイッチ３が配設され、前記カソード並列配線９Ｋ’に前記カソード・コンデンサ間７Ｋ’からアノード端外側電極８Ａ’に向かって順方向に並列用ダイオード１０’が配設されている、前記カソード並列配線９Ｋ’に前記切替スイッチ３が配設され、前記アノード並列配線９Ａ’に前記カソード端外側電極８Ｋ’からアノード・コンデンサ間７Ａ’に向かって順方向に並列用ダイオード１０’が配設されている、又は、前記アノード並列配線９Ａ’及びカソード並列配線９Ｋ’に前記切替スイッチ３が配設されている点にある。【００１１】
本発明に係る充放電回路１の第４の特徴は、第１、２の特徴に加えて、前記切替スイッチ３による切替と前記放電スイッチ４による放電開始を周期的に行うタイマー部１１を有し、このタイマー部１１の電源端子１２を、前記カソード端コンデンサ２Ｋ又はアノード端コンデンサ２Ａと当該コンデンサ２Ｋ、２Ａに隣接する中間ダイオード６とのダイオード・コンデンサ間７Ｄに接続したタイマー電源配線１３を有し、このタイマー電源配線１３に、前記ダイオード・コンデンサ間７Ｄから電源端子１２に向かって順方向に電源用ダイオード１４が配設されている点にある。【００１２】
これらの特徴により、直列電流状態Ｊ１と並列電流状態Ｊ２とに切替可能な切替スイッチ３とは別に、複数のコンデンサ２からの放電を開始する放電スイッチ４も有することで、特許文献１とは異なり、切替スイッチ３によって高圧→低圧・低圧→高圧の変圧が可能となり、鉄心やコイル等で高重量・大型となる変圧器は不要となり、切替スイッチ３の他に放電スイッチ４だけとなり、一次電流検出手段や一次電流ピーク検出回路、オフ時間検出回路などよりも回路の多種を抑制できる（「簡素化」の実現）。【００１３】
又、複数のコンデンサ２を直列に接続した直列配線５で、隣接する２つのコンデンサ２の間に中間ダイオード６を配設し、アノード並列配線９Ａとカソード並列配線９Ｋのうち少なくとも一方に切替スイッチ３を配設し、その他に並列用ダイオード１０を配設することで、切替スイッチ３によって、複数のコンデンサ２の実際の接続構成は一切変更することなく、各コンデンサ２に流し得る電流を直列→並列、並列→直列に切り替えることが可能となると共に、アノード並列配線９Ａとカソード並列配線９Ｋの一方に切替スイッチ３を配設した分だけ、両方に並列用ダイオード１０を配設した場合より、電圧降下を抑えることが出来る。【００１４】
更に、複数のコンデンサ２を直列に接続した直列配線５’で、隣接する２つのコンデンサ２の間に中間ダイオード６’を配設し、アノード並列配線９Ａ’とカソード並列配線９Ｋ’のうち少なくとも一方に切替スイッチ３を配設し、その他に並列用ダイオード１０’を配設することで、切替スイッチ３によって、複数のコンデンサ２の実際の接続構成は一切変更することなく、各コンデンサ２に流し得る電流を並列→直列、直列→並列に切り替えることが可能となると共に、アノード並列配線９Ａ’とカソード並列配線９Ｋ’の一方に切替スイッチ３を配設した分だけ、両方に並列用ダイオード１０’を配設した場合より、電圧降下を抑えることが出来る。【００１５】
そして、タイマー電源配線１３に電源用ダイオード１４を配設することで、複数のコンデンサ２からの放電によりコンデンサ２の電圧が下がった場合においても、タイマー部１１の電源端子１２側からコンデンサ２側へ電流が逆流することを防止でき、タイマー部１１の動作に支障はない。【００１６】
本発明に係る検電器２０の第１の特徴は、上述した第１、２、４の特徴を有した充放電回路１を備え、この充放電回路１から放電される出力電流Ｙを用いて、電路Ｒの通電を検査する検電器であって、前記充放電回路１におけるアノード端外側電極８Ａとカソード端外側電極８Ｋそれぞれに接続された一対のゲート電極２１を備え、この一対のゲート電極２１を前記電路Ｒの通電により生じる電界Ｅ内に位置させた際に、前記一対のゲート電極２１間の電位差による入力電流Ｘを前記複数のコンデンサ２に充電し、前記複数のコンデンサ２から周期的に放電される出力電流Ｙで点滅する発光部２２を備えている点にある。【００１７】
本発明に係る検電器２０の第２の特徴は、第１の特徴に加えて、前記電路Ｒは交流電路Ｒ’であって、この交流電路Ｒ’から交流電流を直流電流に変換する整流器２３を備え、この整流器２３からの直流電流が、前記入力電流Ｘとして複数のコンデンサ２に充電され、前記複数のコンデンサ２への充電時に切替スイッチ３により前記直列電流状態Ｊ１とされ、前記複数のコンデンサ２からの放電前に切替スイッチ３により前記並列電流状態Ｊ２とされ、前記並列電流状態Ｊ２とされた後に、前記放電スイッチ４により出力電流Ｙの放電を開始する点にある。【００１８】
これらの特徴により、電路Ｒの通電により生じる電界Ｅ内に位置させたゲート電極２１間からの入力電流Ｘを複数のコンデンサ２に充電し、複数のコンデンサ２から周期的に放電される出力電流Ｙで点滅する発光部２２を備えることで、別の電源を必要しないため、その電源が切れて電圧チェック及び導通チェックが出来ない等の虞は一切なく、更なる「簡素化」が図れる。
これに加えて、発光部２２が消灯している時間が存在する分だけ、発光部２２に要する電力を低減できる（「省電力化」）と共に、結果的に発光時間が短くなるため発光部２２が長持ちする（「長寿命化」）。【００１９】
又、交流電路Ｒ’から交流電流を整流器２３で整流して複数のコンデンサ２に充電し、複数のコンデンサ２の充電時に直列電流状態Ｊ１とし、放電前に並列電流状態Ｊ２とした後に、出力電流Ｙの放電を開始することで、交流電路Ｒ’から整流した高電位の直流電流であっても、充電した後に直列→並列への切替を完了した後、確実に低電位として放電することとなり、交流電路Ｒ’が高圧（例えば、６６００Ｖや２２０００Ｖなど）であっても、発光部２２に過負荷をかけることなく検電が可能となる。
その他、本発明に係る検電器２０の第３の特徴は、第１又は２の特徴に加えて、一対の電極１０２を有したコンデンサユニット１０１を備え、このコンデンサユニット１０１からの電流を、上述した第３の特徴を有した充放電回路１における複数のコンデンサ２に充電して、電路Ｒの通電を検査し、前記一対の電極１０２の両方は、互いに略平行な本体部１０３をそれぞれ備え、前記一対の電極１０２のうち一方のみ又は両方は、前記本体部１０３の端にもう一方の電極側へ立設し且つ前記もう一方の電極とは略平行でない非平行部１０４も備えている点である。【００２０】
本発明に係るコンデンサユニット１０１は、一対の電極１０２を有したコンデンサユニットであって、前記一対の電極１０２の両方は、互いに略平行な本体部１０３をそれぞれ備え、前記一対の電極１０２のうち一方のみ又は両方は、前記本体部１０３の端にもう一方の電極側へ立設し且つ前記もう一方の電極とは略平行でない非平行部１０４も備えていることを第１の特徴とする。
尚、本発明における「もう一方の電極」とは、一方の電極１０２ａの視点に立ってみれば「他方の電極１０２ｂ」を意味し、他方の電極１０２ｂの視点に立ってみれば「一方の電極１０２ａ」を意味する。つまり、互いに対向する相手方の電極となる。【００２１】
本発明に係るコンデンサユニット１０１の第２の特徴は、第１の特徴に加えて、前記一対の電極１０２を保持するケーシング１０５を有し、このケーシング１０５は、前記一対の電極１０２それぞれの本体部１０３を保持する一対の本体側部１０６と、これらの本体側部１０６それぞれの端から立設し且つ前記一対の本体側部１０６の間を連結する連結側部１０７を備え、前記一対の電極１０２のうち一方が前記ケーシング１０５の内面に導電素材を被覆して構成された被覆電極１０２’であり、且つ、前記一対の電極１０２のうち他方が金属プレート１０２”で構成され、又は、前記一対の電極１０２の両方が前記ケーシング１０５の内面に導電素材を被覆して構成された被覆電極１０２’であり、前記被覆電極１０２’が前記本体部１０３及び非平行部１０４を備えている場合には、前記本体部１０３が前記ケーシング１０５の本体側部１０６の内面に導電素材を被覆して構成され、前記非平行部１０４は前記ケーシング１０５の連結側部１０７の内面に導電素材を被覆して構成され、前記被覆電極１０２’が前記本体部１０３のみを備えている場合には、前記本体部１０３が前記ケーシング１０５の本体側部１０６の内面のみに導電素材を被覆して構成されている点にある。【００２２】
これらの特徴により、一対の電極１０２の両方に、互いに略平行な本体部１０３を設け、一対の電極１０２の少なくとも一方に、本体部１０３の端にもう一方の電極側へ立設し且つもう一方の電極とは略平行でない非平行部１０４を設けることで、特許文献２とは異なり、所定の電界Ｅ（例えば、後述する電路Ｒの通電により生じる電界Ｅなど）内でも、一対の電極１０２間の電位差を十分に生じ得るコンデンサユニットを実現できる（「取得電位差の増加」）。
尚、特許文献２とは異なり、絶縁ブリッジなどの規制部材を必須としないため、コンデンサユニット１０１としての部品数の低減や、簡素化も実現できる（「部品数低減」や「簡素化」の実現）。【００２３】
又、一対の電極１０２を保持するケーシング１０５に、各電極１０２の本体部１０３を保持する一対の本体側部１０６と、各本体側部１０６の端から立設し且つ一対の本体側部１０６間を連結する連結側部１０７を設け、一対の電極１０２の少なくとも一方を、ケーシング１０５の内面に導電素材を被覆して構成された被覆電極１０２’とすることで、電極１０２を設けるために必要なスペースが導電素材の被覆厚だけで済み、ケーシング１０５とは別の金属プレート１０２”分が嵩張らないため、一対の電極１０２両方を金属プレート１０２”とした場合より、小型化が図れる。
その他、本発明に係るコンデンサユニット１０１の第３の特徴は、第２の特徴に加えて、前記導電素材は、蒸着によって、前記ケーシング１０５の内面に被覆されている点である。【００２４】
本発明に係る検電器１１０の第１の特徴は、上述した第１〜３の何れか１つの特徴を有したコンデンサユニット１０１を備え、このコンデンサユニット１０１からの電流を用いて、電路Ｒの通電を検査する検電器であって、当該検電器を前記電路Ｒの通電により生じる電界Ｅ内に位置させた際に、前記コンデンサユニット１０１の一対の電極１０２間の電位差による電流で点灯する発光部１１１を備え、前記コンデンサユニット１０１のケーシング１０５は、当該検電器のケーシング１１２を兼用していることを第１の特徴とする。【００２５】
本発明に係る検電器１１０の第２の特徴は、第１の特徴に加えて、前記一対の電極１０２のうち、一方は前記本体部１０３と非平行部１０４を備えた被覆電極１０２’であり、他方は前記本体部１０３のみを備えた金属プレート１０２”であり、前記一対の電極１０２のうち、一方の被覆電極１０２’は、他方の金属プレート１０２”より前記電路Ｒから遠くに位置し、前記一対の電極１０２のうち、一方の被覆電極１０２’の本体部１０３は、他方の金属プレート１０２”の本体部１０３と略同じ大きさ又はより大きい点にある。【００２６】
本発明に係る検電器１０の第３の特徴は、第１又は２の特徴に加えて、前記電路Ｒは長手方向Ｌを有し、前記コンデンサユニット１０１からの電流を蓄電装置１３２に充電し、この蓄電装置１３２から放電する電流で前記発光部１１１を点灯させる充放電回路１３１を備え、この充放電回路１３１の基板１３３では、前記電路Ｒの長手方向Ｌと略平行な配線が、前記電路Ｒの長手方向Ｌと略平行でない配線より少ない点にある。
その他、本発明に係る検電器１０は、一対の電極１０２を保持するケーシング１０５を有したコンデンサユニット１０１を備えていて、前記一対の電極１０２のうち一方が前記ケーシング１０５の内面に導電素材を被覆して構成された被覆電極１０２’であり、且つ、前記一対の電極１０２のうち他方が金属プレート１０２”で構成され、又は、前記一対の電極１０２の両方が前記ケーシング１０５の内面に導電素材を被覆して構成された被覆電極１０２’であり、前記導電素材は、蒸着によって、前記ケーシング１０５の内面に被覆され、前記コンデンサユニット１０１からの電流を用いて、電路Ｒの通電を検査する検電器であって、当該検電器を前記電路Ｒの通電により生じる電界Ｅ内に位置させた際に、前記コンデンサユニット１０１の一対の電極１０２間の電位差による電流で点灯する発光部１１１を備え、前記コンデンサユニット１０１のケーシング１０５は、当該検電器のケーシング１１２を兼用し、前記電路Ｒは長手方向Ｌを有し、前記コンデンサユニット１０１からの電流を蓄電装置１３２に充電し、この蓄電装置１３２から放電する電流で前記発光部１１１を点灯させる充放電回路１３１を備え、この充放電回路１３１の基板１３３では、前記電路Ｒの長手方向Ｌと略平行な配線が、前記電路Ｒの長手方向Ｌと略平行でない配線より少なくても良い。【００２７】
これらの特徴により、電路Ｒの通電により生じる電界Ｅ内に位置させた一対の電極１０２間からの電流で点灯する発光部１１１を備え、コンデンサユニット１０１のケーシング１０５を、検電器１１０のケーシング１１２と兼用することで、特許文献２と比べて、非平行部１０４を有している分だけ、電路Ｒの通電により生じる電界Ｅ内における一対の電極１０２間の電位差が大きくなり、発光部１１１をより明るく点灯できるため、検電器１１０として、電路Ｒの通電を使用者に伝え易い。
これと同時に、検電器１１０のケーシング１１２と、コンデンサユニット１０１のケーシング１０５を別々に設ける必要がないため、小型化を実現できる。【００２８】
又、一対の電極１０２の一方を本体部１０３と非平行部１０４を備えた被覆電極１０２’とし、他方を本体部１０３のみを備えた金属プレート１０２”とし、一方の被覆電極１０２’を他方の金属プレート１０２”より電路Ｒから遠ざけ、一方の被覆電極１０２’の本体部１０３を、他方の金属プレート１０２”の本体部１０３と略同じ大きさ又はより大きくすることで、電路Ｒから遠ざかるにつれて広がる電路Ｒの通電により生じる電界Ｅを、電路Ｒから遠い側にある被覆電極１０２’でより漏れなく捉えることが出来、小型化も図れる（更なる「取得電位差の増加」と「小型化」の両立）。
これと同時に、電路Ｒに近い側から金属プレート１０２”の電極１０２で検電器１１０を支えることとなり、検電器１１０を電路Ｒに確り固定し易くなる。【００２９】
更に、充放電回路１３１の基板１３３で、電路Ｒの長手方向Ｌと略平行な配線を、電路Ｒの長手方向Ｌと略平行でない配線より少なくすることで、電路Ｒと、当該電路Ｒの長手方向Ｌと略平行な配線との間に生じる寄生容量を低減し、その影響を抑えることが出来る。
【発明の効果】
【００３０】
本発明に係る充放電回路や検電器によると、複数のコンデンサへの電流の流し方を直列・並列に切替可能な切替スイッチとは別に、複数のコンデンサからの放電を開始する放電スイッチも有することで、「簡素化」等を実現できる。
又、本発明に係るコンデンサユニットや検電器によると、当該コンデンサユニットの電極における本体部の端に立設する非平行部を設けることで、所定の電界内における電極間の「取得電位差の増加」等を実現できる。
尚、本発明は、「部品数低減」や「簡素化」などを、コンデンサユニットや検電器でも実現できる。
【図面の簡単な説明】
【００３１】
【図１】本発明の第１実施形態に係る充放電回路、及び、本発明の第１実施形態に係る検電器を示す回路図である。
【図２】充放電回路を例示する等価回路図であって、（ａ）は充電時の充放電回路を例示し、（ｂ）は放電時の充放電回路を例示する。
【図３】充放電回路における複数のコンデンサの接続例を示す等価回路図である。
【図４】充放電回路のタイマー部における各信号のタイミングチャートである。
【図５】本発明の第２実施形態に係る充放電回路、及び、本発明の第１実施形態に係る検電器を示す回路図である。
【図６】検電器の基板レイアウトを例示する概要図であって、（ａ）は部品面のシルク／レジスト図であり、（ｂ）は部品面のパターン図であり、（ｃ）は半田面のパターン図である。
【図７】検電器の構成部品を例示する概要図であって、（ａ）は分解斜視図であり、（ｂ）は（ａ）中のＭ矢視図である。
【図８】検電器の電路（バスバー）への取付け状態を例示する図面代用写真である。
【図９】本発明の第１実施形態に係るコンデンサユニットの電極、ケーシングを示す図面代用写真であり、（ａ）はコンデンサユニットのケーシングと電極（金属プレート）を示し、（ｂ）はコンデンサユニットのケーシング内面と電極（被覆電極・金属プレート）を示す。
【図１０】コンデンサユニットを示す断面概要図であり、（ａ）は第１実施形態のコンデンサユニットにおける図９（ａ）中のＡ矢視断面を示し、（ｂ）は第２実施形態を示す。
【図１１】第１実施形態のコンデンサユニットにおける図９（ａ）中のＢ矢視断面を示す。
【図１２】本発明の第１、２実施形態に係るコンデンサユニット、及び、本発明の第２実施形態に係る検電器を示す回路概要図である。
【図１３】検電器の基板レイアウトと電路の長手方向を例示する概要図であって、（ａ）は部品面のパターン図と電路と長手方向を示し、（ｂ）は半田面のパターン図と電路の長手方向を示す。
【図１４】検電器の構成部品を例示する分解斜視図である。
【図１５】検電器の電路（ケーブル）への取付け状態を例示する概要斜視図であって、（ａ）は分解斜視図であり、（ｂ）は正面斜視図であり、（ｃ）は背面斜視図である。
【図１６】検電器の電路（バスバー）への取付け状態を例示する概要斜視図であって、（ａ）は分解斜視図であり、（ｂ）は正面斜視図であり、（ｃ）は背面斜視図である。
【図１７】検電器の電路（バスバー）への取付け状態を例示する図面代用写真である。
【図１８】充放電回路における複数のコンデンサの別の接続例を示す等価回路図である。
【発明を実施するための形態】
【００３２】
以下、本発明の実施形態を、図面を参照して説明する。
＜第１実施形態の充放電回路１＞
図１〜４には、本発明の第１実施形態に係る充放電回路１が示されている。
この充放電回路１は、入力電流Ｘを複数のコンデンサ２に充電し、これら複数のコンデンサ２から出力電流Ｙを放電する回路である。
【００３３】
充放電回路１は、複数のコンデンサ２に電流を流し得る状態Ｊ１、Ｊ２を切替可能な切替スイッチ３と、複数のコンデンサ２からの放電を開始する放電スイッチ４を有している。
又、充放電回路１は、直列配線５や中間ダイオード６、アノード並列配線９Ａ、カソード並列配線９Ｋ、並列用ダイオード１０、タイマー部１１、タイマー電源配線１３、電源用ダイオード１４などを有していても良い。
【００３４】
＜コンデンサ２＞
図１〜３に示したように、コンデンサ２は、入力電流Ｘを充電し、出力電流Ｙを放電するものであり、チャージコンデンサ２であるとも言える。
コンデンサ２は複数あり、その個数は、２つや３つ、４つ以上など、複数であれば、何れの値でも良い。
【００３５】
各コンデンサ２に対して、逆方向の電圧を加えた時に定電圧を発生するツェナーダイオードを並列に接続していても良い。
各コンデンサ２の静電容量は、何れの値でも良いが、例えば、公称値で２．２μＦなどであっても良く、又、各コンデンサ２の静電容量が略同じ値でも良いが、異なる値でも構わない。
【００３６】
各コンデンサ２の静電容量は、特に制限はないが、例えば、０．００１μＦ以上１００００．０００μＦ以下であったり、好ましくは０．０１μＦ以上５０００．００μＦ以下、更に好ましくは０．１μＦ以上１０００．００μＦ以下（１００μＦなど）でも良い。
更に、コンデンサ２における電極間には、比誘電率が１より大きい誘電体を挟んでいたり、比誘電率が１の状態（つまり、電極間が真空の状態）であるなど、何れの状態でも構わない。
尚、各コンデンサ２は、幾つかのコンデンサ部材が集まったものでも良い。
【００３７】
＜直列配線５、並列配線９Ａ、９Ｋなど＞
特に図３に示したように、直列配線５は、複数のコンデンサ２が直列に接続された配線であり、この直列配線５は、隣接する２つのコンデンサ２の間それぞれに、アノードからカソードへの順方向を揃えた中間ダイオード６が配設されている。
尚、この中間ダイオード６は、中間ダイオード６だけで独立して１つの素子であるものでも良いが、後述する並列用ダイオード１０と組み合わさったものが、１つの素子となったものでも構わない。
【００３８】
アノード並列配線９Ａは、上述した中間ダイオード６それぞれのアノード側と、そのアノード側に隣接するコンデンサとのアノード・コンデンサ間７Ａそれぞれを、直列配線５の端に位置し且つ中間ダイオード６のカソード側のみに隣接するカソード端コンデンサ２Ｋにおける中間ダイオードとは反対側のカソード端外側電極８Ｋに接続した配線である。
又、カソード並列配線９Ｋは、中間ダイオード６のカソード側と当該カソード側に隣接するコンデンサとのカソード・コンデンサ間７Ｋそれぞれを、直列配線５の端に位置し且つ中間ダイオード６のアノード側のみに隣接するアノード端コンデンサ２Ａにおける中間ダイオードとは反対側のアノード端外側電極８Ａに接続した配線である。
【００３９】
これら２つの並列配線９Ａ、９Ｋのうち一方に、切替スイッチ３が配設され、他方に並列用ダイオード１０が配設されている。
つまり、＜１＞アノード並列配線９Ａに切替スイッチ３が配設され、カソード並列配線９Ｋにカソード・コンデンサ間７Ｋからアノード端外側電極８Ａに向かって順方向に並列用ダイオード１０が配設されている場合、＜２＞カソード並列配線９Ｋに切替スイッチ３が配設され、アノード並列配線９Ａにカソード端外側電極８Ｋからアノード・コンデンサ間７Ａに向かって順方向に並列用ダイオード１０が配設されている場合、又は、＜３＞アノード並列配線９Ａ及びカソード並列配線９Ｋに切替スイッチ３が配設されている場合の３つが存在することとなる（図３は、＜１＞の場合である）。
【００４０】
上述した＜１＞〜＜３＞のうち、特に＜１＞、＜２＞の場合について、コンデンサ２が３つ以上であって各並列配線９Ａ、９Ｋが２つ以上あるケースを、更に詳解する。
１つの充放電回路１において、あるアノード並列配線９Ａ−１には切替スイッチ３が配設され、このアノード並列配線９Ａ−１に隣接した中間ダイオード６−１を挟みその反対側にあるカソード並列配線９Ｋ−１には並列用ダイオード１０が配設されると同時に、また別のアノード並列配線９Ａ−２には逆に並列用ダイオード１０が配設され、そのアノード並列配線９Ａ−２に隣接した中間ダイオード６−２を挟みその反対側にあるカソード並列配線９Ｋ−２には切替スイッチ３が配設されていても、上述の＜１＞、＜２＞の場合に含まれる。
【００４１】
以下同様に、更に別のアノード並列配線９Ａ−３には切替スイッチ３が配設され、その反対側にあるカソード並列配線９Ｋ−３には並列用ダイオード１０が配設されている等、各アノード並列配線９Ａ、カソード並列配線９Ｋの組ごとに、上述の＜１＞、＜２＞が混在していても良い。
【００４２】
ここまで述べた直列配線５・並列配線９Ａ、９Ｋとなった複数のコンデンサ２は、その充電時に後述する切替スイッチ３により直列電流状態Ｊ１とされ（図３（ａ））、その放電前に切替スイッチ３により並列電流状態Ｊ２とされ（図３（ｂ））、並列電流状態Ｊ２とされた後に、放電スイッチ４により出力電流Ｙの放電を開始しても良い。
このような順序で充電・放電した場合には、直列に複数のコンデンサ２を所定の電圧で充電した後、その所定の電圧より低い電圧で並列に複数のコンデンサ２から放電することとなり、入力電流Ｘが充放電回路１を経ることで、その電圧を高圧→低圧に降圧した出力電流Ｙを放電することとなる。
【００４３】
一方、ここまで述べた複数のコンデンサ２が、その充電時に後述する切替スイッチ３により並列電流状態Ｊ２とされ、その放電前に切替スイッチ３により直列電流状態Ｊ１とされ、直列電流状態Ｊ１とされた後に、放電スイッチ４により出力電流Ｙの放電を開始しても良い。
このような順序で充電・放電した場合には、並列に複数のコンデンサ２を所定の電圧で充電した後、その所定の電圧より高い電圧で直列に複数のコンデンサ２から放電することとなり、入力電流Ｘが充放電回路１を経ることで、その電圧を低圧→高圧に昇圧した出力電流Ｙを放電することとなる。
以下、複数のコンデンサ２が、充電時に直列電流状態Ｊ１で、放電時に並列電流状態Ｊ２となる（高圧→低圧となる）場合について、主に述べる。
【００４４】
＜切替スイッチ３＞
図１〜３に示したように、切替スイッチ３は、上述した直列電流状態Ｊ１と並列電流状態Ｊ２とに切替可能なスイッチである。
切替スイッチ３は、状態Ｊ１、Ｊ２を切替可能であれば、何れの構成でも良いが、例えば、並列配線９Ａ、９Ｋを開閉する（ＯＮ（並列配線９Ａ、９Ｋを導通させる）／ＯＦＦ（並列配線９Ａ、９Ｋを非導通とする））ＭＯＳＦＥＴなどのトランジスタ部材であったり、手動等にて並列配線９Ａ、９Ｋを開閉する開閉器であっても良い。
【００４５】
以下、切替スイッチ３は主にＭＯＳＦＥＴであるとして述べる。
切替スイッチ（切替ＭＯＳＦＥＴ）３は、その構成に特に限定はないが、例えば、ＮチャンネルＭＯＳＦＥＴや、ＰチャンネルＭＯＳＦＥＴ等であっても良く、アノード並列配線９Ａ、及び／又は、カソード並列配線９Ｋに配設されていても構わない。
切替ＭＯＳＦＥＴ３がアノード並列配線９Ａに配設されている場合には、例えば、そのゲート（Ｇ）が後述するタイマー部１１からの切替信号Ｋ１の切替出力端子１５に接続され、そのドレイン（Ｄ）が上述したアノード・コンデンサ間７Ａに接続され、そのソース（Ｓ）が上述したカソード端コンデンサ２Ｋのカソード端外側電極８Ｋに接続されていても良い。
【００４６】
一方、切替ＭＯＳＦＥＴ３がカソード並列配線９Ｋに配設されている場合には、例えば、そのゲート（Ｇ）が後述するタイマー部１１からの切替信号Ｋ１の切替出力端子１５に接続されている点は同様であるが、そのドレイン（Ｄ）は上述したカソード・コンデンサ間７Ｋに接続され、そのソース（Ｓ）は上述したアノード端コンデンサ２Ａのアノード端外側電極８Ａに接続されていても良い。
切替スイッチ３は、アノード並列配線９Ａ、及び／又は、カソード並列配線９Ｋに複数配設されている場合には、全ての切替スイッチ３が同時に切り替えを行う構成（そのゲート（Ｇ）が、同一のタイマー部１１からの切替信号Ｋ１の切替出力端子１５に接続されている構成など）であっても良いが、各切替スイッチ３によって状態Ｊ１、Ｊ２の切替に時間差があっても良い。
【００４７】
＜直列電流状態Ｊ１、並列電流状態Ｊ２など＞
図１〜４（特に、図２）に示したように、直列電流状態Ｊ１は、複数のコンデンサ２に電流を直列に流し得る状態であり、並列電流状態Ｊ２は、複数のコンデンサ２に電流を並列に流し得る状態である。
直列電流状態Ｊ１と並列電流状態Ｊ２は、上述した切替スイッチ３によって直列電流状態Ｊ１→並列電流状態Ｊ２や、その逆に、並列電流状態Ｊ２→直列電流状態Ｊ１に切り替えられる。
【００４８】
これらの電流状態Ｊ１、Ｊ２について詳解すれば、並列配線９Ａ、９Ｋにおける切替スイッチ３がＯＦＦである（並列配線９Ａ、９Ｋを導通しない）時には、各コンデンサ２は、直列配線５で接続されるのみであるため、必ず電流は、複数のコンデンサ２を直列にしか流れ得ない。
よって、切替スイッチ３がＯＦＦである時には、直列電流状態Ｊ１であると言える。
【００４９】
一方、切替スイッチ３がＯＮである（並列配線９Ａ、９Ｋを導通する）時には、各コンデンサ２は、直列配線５だけでなく、並列配線９Ａ、９Ｋによっても接続されているため、電流は、複数のコンデンサ２を直列にだけでなく、並列にも流れ得る。
従って、切替スイッチ３がＯＮである時には、直列電流状態Ｊ１であると同時に並列電流状態Ｊ２であって、このような状態は直並列電流状態Ｊ３とも言える。
【００５０】
尚、この直並列電流状態Ｊ３は、後述する放電スイッチ４がＯＮとなることで、複数のコンデンサ２には、電流が並列にしか流れない状態となるため、切替スイッチ３は、複数のコンデンサ２に電流を並列に流し得る並列電流状態Ｊ２に、切替可能であると言える。
このように、実際にコンデンサ２に流れる電流を左右する放電スイッチ４について、以下に述べる。
【００５１】
＜放電スイッチ４＞
図１〜４に示したように、放電スイッチ４は、複数のコンデンサ２からの出力電流Ｙの放電を開始するスイッチである。
放電スイッチ４も、複数のコンデンサ２からの放電を開始し、且つ、切替スイッチ３とは別に（切替スイッチ３とは別の位置に）配設されていれば良く、例えば、出力電流Ｙを放電させる配線（出力配線）Ｙ’を開閉する（ＯＮ（出力配線Ｙ’を導通させる）／ＯＦＦ（出力配線Ｙ’を非導通とする））ＭＯＳＦＥＴなどのトランジスタ部材であったり、手動等にて出力配線Ｙ’を開閉する開閉器であっても良い。
【００５２】
以下、放電スイッチ４は、主に出力配線Ｙ’に配設されたＭＯＳＦＥＴであるとして述べる。
放電スイッチ（放電ＭＯＳＦＥＴ）４の配設位置について詳解すれば、出力電流Ｙを放電する出力配線Ｙ’において、例えば、出力電流Ｙが供給される負荷（後述の発光部２２など）より低い電位の側（例えば、ＧＮＤ側など）でＯＮ／ＯＦＦする（ローサイドスイッチの）場合でも良く、このとき、ＮチャンネルＭＯＳＦＥＴを放電スイッチ４等としても構わない。
【００５３】
このＮチャンネルＭＯＳＦＥＴ等の放電スイッチ４は、例えば、そのゲート（Ｇ）が所定の素子を介して後述するタイマー部１１からの放電信号Ｋ２の放電出力端子１６に接続され、そのドレイン（Ｄ）が負荷（発光部２２）等に接続され、そのソース（Ｓ）が充放電回路１におけるＧＮＤ（充放電回路１における低電位側の出力配線Ｙ’）に接続されていても良い。
尚、このＧＮＤは、上述したカソード端コンデンサ２Ｋのカソード端外側電極８Ｋに接続されることとなる。
【００５４】
その他、放電スイッチ４の配設位置としては、出力配線Ｙ’において、例えば、負荷（発光部２２など）より高い電位の側でＯＮ／ＯＦＦする（ハイサイドスイッチの）場合でも良く、このとき、ＰチャンネルＭＯＳＦＥＴを放電スイッチ４等としても構わない。
このＰチャンネルＭＯＳＦＥＴ等の放電スイッチ４は、例えば、そのゲート（Ｇ）は、ローサイドスイッチの場合と同様に、所定の素子を介して後述するタイマー部１１からの放電信号Ｋ２の放電出力端子１６に接続されるが、そのドレイン（Ｄ）は負荷（発光部２２）等に接続され、そのソース（Ｓ）が上述したアノード端コンデンサ２Ａのアノード端外側電極８Ａに接続されていても良い。
尚、このアノード端外側電極８Ａは、充放電回路１における高電位側の出力配線Ｙ’となる。
【００５５】
＜タイマー部１１、電源端子１２、タイマー電源配線１３、電源用ダイオード１４など＞
図１、４に示したように、タイマー部１１は、上述した切替スイッチ３による切替と放電スイッチ４による放電開始を周期的に行うものである。
タイマー部１１は、切替スイッチ３による切替と放電スイッチ４による放電開始を周期的に行うのであれば、何れの構成でも良いが、例えば、電源端子（図１中のＶＤＤ端子）１２や、上述した切替信号Ｋ１の切替出力端子（図１中のＷＡＫＥ端子）１５、放電信号Ｋ２の放電出力端子（図１中のＴＣＡＬ端子）１６、そして、負荷（後述する発光部２２など）への放電を停止させる停止信号Ｋ３を入力する停止入力端子（図１中のＤＯＮＥ端子）１７、切替スイッチ３による切替と放電スイッチ４による放電開始の周期（放電周期）Ｔを設定する周期設定端子（図１中のＤ０、Ｄ１、Ｄ２端子）１８などを有していても良い。
【００５６】
タイマー電源配線１３は、上述したタイマー部１１の電源端子１２を、上述した直列配線５におけるカソード端コンデンサ２Ｋと、そのカソード端コンデンサ２Ｋに隣接する中間ダイオード６とのダイオード・コンデンサ間７Ｄに接続した配線である。
このタイマー電源配線１３には、ダイオード・コンデンサ間７Ｄから電源端子１２に向かって順方向に電源用ダイオード１４が配設されている。
【００５７】
＜放電周期Ｔ＞
図１に示したように、上述した周期設定端子１８は、それぞれに「０（Ｌ：ロー）」か「１（Ｈ：ハイ）」の電位を入力させることで、切替信号Ｋ１や放電信号Ｋ２の出力（より詳しくは、切替信号Ｋ１や放電信号Ｋ２における「Ｌ」・「Ｈ」の変化）をする放電周期Ｔを所定の値（１秒、２秒、４秒、８秒、１０秒、１６秒、３２秒、６４秒など）に設定することが出来る。
例えば、周期設定端子１８におけるＤ２端子に「０」、Ｄ１端子に「０」、Ｄ０端子に「０」の電位を入力すると、放電周期Ｔを１秒に設定でき、又、Ｄ２端子に「０」、Ｄ１端子に「０」、Ｄ０端子に「１」の電位を入力すると、放電周期Ｔを２秒に設定できる構成であっても良い。
【００５８】
このような「０」、「１」電位の各周期設定端子１８への入力は、例えば、Ｄ０端子を「０」の電位にするのであれば、このＤ０端子と上述したタイマー電源配線１３をＮＭΩの抵抗（例えば、何ＭΩなど十分に大きな抵抗）を介して接続し、且つ、Ｄ０端子と上述したＧＮＤを０Ωの抵抗を介して（又は、抵抗なしの配線のみで）接続することで構成する。
同様に、Ｄ１端子を「０」の電位にするのであれば、Ｄ１端子とタイマー電源配線１３をＮＭΩの抵抗（例えば、何ＭΩなど十分に大きな抵抗）を介して接続し、且つ、Ｄ１端子とＧＮＤを０Ωの抵抗を介して（又は、抵抗なしの配線のみで）接続することで構成すれば良く、Ｄ２端子を「０」の電位にするのであれば、Ｄ２端子とＧＮＤを抵抗なしの配線のみで接続することで構成することとなる。
【００５９】
＜切替信号Ｋ１、放電信号Ｋ２、停止信号Ｋ３のタイミングチャート＞
図４には、タイマー部１１における各信号のタイミングチャートが示されている。
これらの信号のうち、切替信号Ｋ１は、上述した切替出力端子１５から出力され、切替スイッチ３（図１中のＱ１〜Ｑ３）に入力される。
この切替信号Ｋ１は、当初は「Ｌ（又は、０）」の電位によって、切替スイッチ３をＯＦＦとしている状態（複数のコンデンサ２における直列電流状態Ｊ１）であるが、上述した放電周期Ｔごとに、「Ｈ（又は、１）」の電位に立ち上がることで、切替スイッチ３をＯＮとしている状態（複数のコンデンサ２における並列電流状態Ｊ２（又は、直並列電流状態Ｊ３））とする。
【００６０】
放電信号Ｋ２は、上述した放電出力端子１６から出力され、所定の素子を介して、放電スイッチ（放電ＭＯＳＦＥＴ等）４の端子（ゲート（Ｇ））などに入力される。
この放電信号Ｋ２も、当初は「Ｌ（又は、０）」の電位によって、放電スイッチ４をＯＦＦとしている状態であるが、上述した切替信号Ｋ１の「Ｌ」→「Ｈ」への立上りから、所定のディレイ時間（例えば、約８ｍＳｅｃ）Ｂ後に、「Ｈ（又は、１）」の電位に立ち上がることで、放電スイッチ４をＯＮとして、充放電回路１の出力配線Ｙ’から負荷（発光部２２など）へ、複数のコンデンサ２からの出力電流Ｙを放電させても良い。
【００６１】
この場合、タイマー部１１は、複数のコンデンサ２からの放電前に切替スイッチ３にて並列電流状態Ｊ２とし、並列電流状態Ｊ２とした後に、放電スイッチ４により出力電流Ｙの放電を開始している。
これにより、充電した後に直列→並列への切替を完了した後、確実に低電位として放電することとなり、交流電路Ｒ’が高圧（例えば、６６００Ｖや２２０００Ｖなど）であっても、発光部２２に過負荷をかけることが抑制され、又、負荷（発光部２２など）に中途半端に出力電流Ｙが放電されることを防止している。  
尚、充放電回路１は、入力電流Ｘがコンデンサ２に流入しないようにするスイッチ（充電可否スイッチ等）を有していない場合には、コンデンサ２からの放電時にも、各コンデンサ２の電圧によっては、入力電流Ｘがコンデンサ２に流入することになるとも言える。
【００６２】
停止信号Ｋ３は、上述した放電出力端子１６から出力された放電信号Ｋ２が、所定の時定数τを持つＲＣ回路１９等を経て、停止入力端子１７に入力される。
このＲＣ回路１９は、直列に接続された抵抗（図１中のＲ１０とＲ１１）とコンデンサ（図１中のＣ６）で構成され、この抵抗とコンデンサの間と停止入力端子１７を所定の抵抗（図１中のＲ１２）を介して接続することで、停止信号Ｋ３（放電信号Ｋ２の積分波形とも言える）が停止入力端子１７に入力される。
【００６３】
入力される停止信号Ｋ３も、当初は「Ｌ（又は、０）」の電位であるが、放電信号Ｋ２がＲＣ回路１９を経て入力されると、このＲＣ回路１９の時定数τに従って電位が上がり、停止信号Ｋ３の電位が、タイマー部１１の電源端子１２の電位（電源電位、電源電圧）の半分（１／２）程度になった（「Ｈ」になった）と、タイマー部１１で判定されると、タイマー部１１は、上述の切替信号Ｋ１と放電信号Ｋ２の電位を「Ｌ（又は、０）」とする。
この電位の変化は、上述したＲＣ回路１９の時定数τに従って調整が出来、その時定数τは、ＲＣ回路１９の抵抗値（例えば、１．０ＭΩ＋２２０ｋΩ＝１．２２ＭΩなど）と静電容量（例えば、１ｎＦなど）の積から、所定の値（例えば、１．２２ＭΩ×２．２ｎＦ＝２．６８４μＳｅｃ）が求められる。
【００６４】
尚、停止信号Ｋ３の電位が電源電圧の半分程度になるまでの時間、つまり、負荷への放電時間（放電している時間、具体例としては、放電する発光部２２が発光している発光時間）Ｔ’は、上述の時定数τにｌｎ２（＝ｌｏｇe ２、ｅは自然対数の底）をかけた値（例えば、２．６８４μＳｅｃ×ｌｏｇe ２＝２．６８４μＳｅｃ×０．６９３１４７・・・＝１．８６０・・・≒１．８６ｍＳｅｃであり、ｌｎ２をかけることから、「Ｈ」電位に対しての半減期とも言える）が目安となる。
この放電時間（発光時間）Ｔ’は、負荷（発光部２２など）へコンデンサ２（特に、カソード端コンデンサ２Ｋ）から出力電流Ｙを放電している間は、タイマー部１１の電源電圧が低下するとも言え、時定数τ×ｌｎ２の目安より短い場合（例えば、１．６４ｍＳｅｃなど）もある。
よって、このＲＣ回路１９における抵抗値と静電容量を変えることによって、意図する時定数τ（つまり、意図する放電時間Ｔ’）とすることが可能となる。
【００６５】
このような放電時間Ｔ’を経て、停止信号Ｋ３が「Ｈ」と判定され、切替信号Ｋ１と放電信号Ｋ２が「Ｌ」となることで、切替スイッチ３はＯＦＦとなって複数のコンデンサ２が直列電流状態Ｊ１に切り替えられると同時に、放電スイッチ４もＯＦＦとなって複数のコンデンサ２からの出力電流Ｙの放電を停止させる。
直列電流状態Ｊ１への切替と放電停止によって、充放電回路１は、再び入力電流Ｘを、直列に電流が流れる複数のコンデンサ２に充電開始する。
【００６６】
ここまで述べたように、タイマー部１１は、切替信号Ｋ１、放電信号Ｋ２及び停止信号Ｋ３の変化、及び、所定の放電時間Ｔ’の放電を、上述した放電周期Ｔごとに繰り返す。
その他、タイマー部１１は、ＧＮＤ端子（図１中のＧＮＤ端子）、当該タイマー部１１が正常に駆動可能な電源電圧がきているかを判断する電源判断端子（図１中のＰＧＯＯＤ端子）、リセット端子（図１中のＲＳＴ端子）なども有していても良い。
【００６７】
これらの端子のうち、ＧＮＤ端子は、ＧＮＤ（充放電回路１における低電位側の出力配線Ｙ’であり、カソード端コンデンサ２Ｋのカソード端外側電極８Ｋ）に接続される。
電源判断端子は、上述したタイマー電源配線１３における電源端子１２と電源用ダイオード１４との間と接続されている。
リセット端子は、特に何れとも接続されていなくとも良い。
【００６８】
尚、タイマー部１１の電源端子１２と、上述したＧＮＤ（カソード端外側電極８Ｋ）の間には、コンデンサ（図１中のＣ５）が接続され、ノイズ除去等を行う。
又、タイマー部１１の切替出力端子１５と、切替スイッチ（切替ＭＯＳＦＥＴ等）３のゲート（Ｇ）との間に、抵抗（ゲート抵抗、図１中のＲ２）を配設していても良い。
更に、タイマー部１１の放電出力端子１６と、放電スイッチ（放電ＭＯＳＦＥＴ等）４のゲート（Ｇ）との間に、抵抗（ゲート抵抗、図１中のＲ９）を配設していても良い。
【００６９】
＜第２実施形態の充放電回路１＞
図５には、本発明の第２実施形態に係る充放電回路１が示されている。
この第２実施形態において第１実施形態と最も異なるのは、コンデンサ２の個数が２つである点である。
【００７０】
又、個数だけでなく、第２実施形態のコンデンサ２それぞれは、幾つかのコンデンサ部材が集まったものであり、より具体的には、当該コンデンサ２は、複数のコンデンサ部材を並列接続したもの（図５中のＣ１とＣ２や、Ｃ３とＣ４など）を１つとしている。
従って、１つのコンデンサ２としての静電容量は、それを構成する各コンデンサ部材の静電容量の２倍（例えば、公称値で２．２μＦのコンデンサ部材２個の合計４．４μＦなど）となる。
尚、並列接続されるコンデンサ部材の個数は、２つではなく、３つ以上であっても良い。
【００７１】
又、第２実施形態において第１実施形態と異なる点としては、直列配線５における中間ダイオード６の個数が１つである点や、アノード並列配線９Ａ及びカソード並列配線９Ｋの本数がそれぞれ１つである点もある。
その他、第２実施形態のタイマー部１１は、第１実施形態とは異なり、周期設定端子１８におけるＤ２端子に「０」、Ｄ１端子に「１」、Ｄ０端子に「０」の電位を入力して、放電周期Ｔを４秒に設定している。
【００７２】
このような「０」、「１」電位の各周期設定端子１８への入力は、例えば、Ｄ０端子を「０」の電位にするのであれば、このＤ０端子と上述したタイマー電源配線１３をＮＭΩの抵抗（例えば、何ＭΩなど十分に大きな抵抗）を介して接続し、且つ、Ｄ０端子と上述したＧＮＤを０Ωの抵抗を介して（又は、抵抗なしの配線のみで）接続することで構成する。
又、Ｄ１端子を「１」の電位にするのであれば、Ｄ１端子とタイマー電源配線１３は０Ωの抵抗を介して（又は、抵抗なしの配線のみで）接続し、且つ、Ｄ１端子とＧＮＤをＮＭΩの抵抗（例えば、何ＭΩなど十分に大きな抵抗）を介して接続することで構成すれば良く、Ｄ２端子を「０」の電位にするのであれば、Ｄ２端子とＧＮＤを抵抗なしの配線のみで接続することで構成することとなる。
その他の充放電回路１の構成、作用効果及び使用態様は、第１実施形態と同様である。
【００７３】
＜第１実施形態の検電器２０＞
図１〜８に示したように、第１実施形態に係る検電器２０は、第１、２実施形態等の充放電回路１を備え、この充放電回路１から放電される出力電流Ｙを用いて、電路Ｒの通電を検査するものである。
検電器２０は、充放電回路１におけるアノード端外側電極８Ａとカソード端外側電極８Ｋそれぞれに接続された一対のゲート電極２１と、充放電回路１における複数のコンデンサ２から周期的に放電される出力電流Ｙで点滅する発光部２２を備えている。
【００７４】
その他、検電器２０は、後述するように、電路Ｒが交流電路Ｒ’であれば、交流電流を直流電流に変換する整流器２３を備えていても良い。
又、このような検電器２０が通電の検査をする電路Ｒについて、まず詳解する。
【００７５】
＜電路Ｒ（交流電路Ｒ’）、電界Ｅなど＞
図１、８に示したように、電路Ｒは、電流の通路、又は、電気回路であって、検電器２０に導通されて、電流が流れているか（通電しているか）を検査されるものであって、銅、アルミニウム、銀、金、ニクロム等の導体や、この導体を絶縁物で覆ったケーブル、一般的な電線などを含む。
電路Ｒに流れる電流は、交流電流、直流電流の何れでも良く、交流電流が流れる電路を交流電路Ｒ’とし、直流電路が流れる電路を直流電路Ｒ”とする。
【００７６】
電路Ｒは、電流が流れるのであれば、何れの構成でも良いが、例えば、交流電路Ｒ’としては、太陽光発電プラント（太陽光発電所）の配電盤内において、所定の電圧（例えば、高圧であれば６６００Ｖや２２０００Ｖなど、低圧であっても１００Ｖ〜２００Ｖなど）の三相ケーブル（そのうちの１本や２本）や、バスバーでも良い（図１、５、８参照）。
尚、図８に示したように、配電盤内は薄暗く、更にカバー越しであれば、交流電路Ｒ’の位置が確認しにくいが、検電器２０の発光部２２によって、使用者に容易に通電している状態を示せる。
その他の交流電路Ｒ’の例としては、商用電源として家屋、建物に設けられたコンセントやブレーカーをはじめ、送電設備などであっても良い。
【００７７】
一方、直流電路Ｒ”の例としては、太陽光発電プラントにおいて、多数の太陽電池パネルや、これらの太陽電池パネルを複数直列に繋げた多数の太陽電池ストリングや、これらの太陽電池ストリングを複数本纏める接続箱における直流ケーブルでも良い。
その他の直流電路Ｒ”の例としては、直流電流が流れる電化製品をはじめ、デスクトップ型やノート型などのコンピュータ、オフィス機器、各種端末などであっても良い。
以下では、電路Ｒは、交流電路Ｒ’（特に、６６００Ｖや２２０００Ｖの三相ケーブル）であるとして述べる。
【００７８】
＜一対のゲート電極２１（ゲートコンデンサ２１’）＞
図１、５〜７に示したように、一対のゲート電極２１は、充放電回路１におけるアノード端外側電極８Ａとカソード端外側電極８Ｋそれぞれに接続された一対の電極であって、これらゲート電極２１でゲートコンデンサ２１’を構成する。
一対のゲート電極２１は、上述した電路Ｒ（交流電路Ｒ’等）の通電により生じる電界Ｅ内に位置させた際に、当該一対のゲート電極２１間の電位差が生じる。
一対のゲート電極２１は、交流電路Ｒ’等の通電により生じる電界Ｅ内で、その間に電位差を生じるのであれば、検電器２０の何れに設けられていても良いが、例えば、充放電回路１の基板２４を内蔵するケーシング３０のカバー（蓋、前面）３１側と、ケーシング３０で基板２４を支持するシャーシ３２背面側に、それぞれのゲート電極２１が設けられていても良い。
【００７９】
カバー３１側のゲート電極２１（２１ａ）は、カバー３１の内側に取り付けたカバー側金属（鉄、銅、アルミニウム、銀、金、ニクロム等）プレート（図示せず）であったり、銅やニッケル等の導電性の素材を含む導電塗料をカバー３１内側に塗布したもの等であっても良い。
カバー３１側のゲート電極２１ａは、充放電回路１におけるアノード端外側電極８Ａ、又は、カソード端外側電極８Ｋに、ゲート接触子（例えば、ポリウレタンフォームに導電布を巻付けたガスケットなど）２５を介して接続されても良い。
【００８０】
一方、シャーシ３２背面側のゲート電極２１（２１ｂ）は、シャーシ３２背面側に設けた背面側金属（鉄、銅、アルミニウム、銀、金、ニクロム等）プレート３３であったり、こちらも導電塗料をシャーシ３２内側に塗布したもの等であっても良い。
シャーシ３２背面側のゲート電極２１ｂは、充放電回路１におけるカソード並列配線９Ｋとアノード端外側電極８Ａのうち、カバー３１側のゲート電極２１ａと接続されていない方の端外側電極８Ｋ、８Ａに、ゲート電極配線２６を介して接続されても良い。
【００８１】
このゲート電極配線２６は、充放電回路１の基板２４における部品面（表面）２４ａ側から貫通孔２４ｃを通って半田面（裏面）２４ｂ側へ配線され、配線端子２６ａを介して、シャーシ３２背面側のゲート電極２１ｂ（金属プレート３３など）に接続していても良い。
尚、充放電回路１の各コンデンサ２や各スイッチ３、４、各配線５、１０、１３、各ダイオード６、１０、１４、タイマー部１１、ＲＣ回路１９、後述するその他の抵抗部材、ダイオード部材、雷サージ保護素子は、基板２４の部品面（表面）２４ａ側に配設される。
又、基板２４とシャーシ３２や、シャーシ３２と背面側金属プレート３３は、両面テープ３４にて貼り付けられていても良く、シャーシ３２とカバー３１は、所定数のネジ３５によって留められても良い。
【００８２】
カバー３１側のゲート電極２１と、シャーシ３２背面側のゲート電極２１の間の距離は、特に限定はないが、所定値（例えば、１０ｍｍなど）以上であっても良い。
一対のゲート電極２１の間には、ケーシング３０に内蔵される充放電回路１や基板２４等があるが、その他は、空洞（空気）であっても良い。
一対のゲート電極２１間（ゲートコンデンサ２１’）の静電容量は、特に制限はないが、例えば、０．００５ｐＦ以上５００００．０００ｐＦ以下であったり、好ましくは０．０１ｐＦ以上１００００．００μＦ以下、更に好ましくは０．１ｐＦ以上１０００．００ｐＦ以下（０．５ｐＦや４ｐＦ、２０ｐＦ、１００ｐＦ、２００ｐＦ、２５０ｐＦなど）でも良い。
【００８３】
＜発光部２２＞
図１、２、４、５、７、８に示されたように、発光部２２は、電路Ｒ（交流電路Ｒ’等）が通電している状態を、光で表すものである（図１、５中においては、ＬＥＤ１で表される）。
発光部２２は、交流電路Ｒ’等が通電している状態を光の点滅で表すなど、何れの構成であっても良い。
【００８４】
発光部２２は、具体的には、発光ダイオード（ＬＥＤ）や有機ＥＬ（有機エレクトロルミネッセンス）、ネオンランプの他、発光するものであれば、ハロゲンランプ、白熱電球、蛍光ランプ（蛍光灯）、水銀ランプ（水銀灯）等の放電灯であっても良い。
以下は、発光部２２が主に発光ダイオードであるとして述べる。
【００８５】
発光部２２は、上述した充放電回路１によって、所定の放電周期（発光周期とも言える）Ｔで発光（点灯）する構成でも良く、この発光周期Ｔに対する放電時間（発光時間）Ｔ’のデューティ比Ｄ（つまり、デューティ比Ｄ＝（発光時間Ｔ’）÷（発光周期Ｔ））が、０．０００００１以上０．５０００００以下であっても良い。
尚、発光部２２は、検電器２０のケーシング３０に内蔵される際に、レンズ３６を被せられていても良く、このレンズ３６とケーシング３０のカバー３１は、互いに両面テープ３４で貼り付けられていても良い。
【００８６】
＜整流器２３＞
図１、２、５に示されたように、整流器２３は、交流電路Ｒ’から交流電流を直流電流に変換するものである（図１中においてはＤ１及びＤ１０、図５中においてはＤ１及びＤ７で表される）。
整流器２３は、交流電路Ｒ’から交流電流を直流電流に変換できるのであれば、何れの構成でも良いが、例えば、２つのダイオード部材と組み合わさって１つの素子となったものを２つ用いても構わない。
【００８７】
＜第１実施形態の検電器２０の使用＞
第１実施形態に係る検電器２０の使用に際しては、ケーシング３０の背面側を、電路Ｒに近接・接近させた状態で、ケーシング３０の一端部（下部）を貫通する取付孔３７に対して、ボルト・ワッシャ・ナット・金具等の固定手段を用いて、電路Ｒに取り付けても良い。
又、ケーシング３０の一端部に溝（図示せず）を形成し、この溝に沿わせるホースバンドや結束バンド等を用いて、検電器２０を電路Ｒに取り付けても良い。
【００８８】
＜第１実施形態の検電器２０のその他の部材＞
図１、５に示したように、第１実施形態に係る検電器２０は、上述した充放電回路１や、その複数のコンデンサ（チャージコンデンサ）２、切替スイッチ３、放電スイッチ４、直列配線５、中間ダイオード６、並列配線９Ａ、９Ｋ、並列用ダイオード１０、タイマー部１１、タイマー電源配線１３、電源用ダイオード１４、一対のゲート電極２１（ゲートコンデンサ２１’）、発光部２２、整流器２３等の他に、抵抗部材、ダイオード部材、雷サージ保護素子などを有していても良く、以下に例示する。
【００８９】
抵抗部材（図１中においてはＲ３、Ｒ６、Ｒ１３で、図５中においてはＲ２、Ｒ５、Ｒ１２）は、それぞれ役割を有していても良いが、例えば、図１中のＲ３（図５中ではのＲ２）は発光部２２（ＬＥＤ１）の電流制限抵抗であると言え、図１中のＲ６（図５中ではのＲ５）は、テストポイント（図１、５中のＴＰ５）で監視するための電流制限抵抗であると言える。尚、図１、５中のＴＰ１〜７はテストポイント１〜７との意味である。
ダイオード部材である図１中のＤ９（図５中のＤ６）は、発光部２２を逆接続するための保護と、発光部２２がＯＦＦ時に逆起電力を防止するためのものと言える。
図１中のＲ１３やＺ１（図５中ではのＲ１２やＺ１）は、雷保護用素子であって、まずＲ１３の抵抗部材は、整流器２３以降の回路に瞬時に高電圧が印加されるのを防止すると言え、Ｚ１の雷サージ保護素子は、整流器２３の内部抵抗で端子間の電圧が増加した際、アースへ電流を流し端子電圧の上昇を防止すると言える。
【００９０】
＜第１実施形態のコンデンサユニット１０１＞
図９〜１２、１５、１６には、本発明の第１実施形態に係るコンデンサユニット１０１が示されている。
このコンデンサユニット１０１は、一対の電極１０２を有し、これら一対の電極１０２を保持するケーシング１０５も有している。
【００９１】
＜一対の電極１０２＞
図９〜１２、１５、１６（特に、図１０（ａ））に示したように、一対の電極１０２（１０２ａ、１０２ｂ）は、その両方が、互いに略平行な本体部１０３（１０３ａ、１０３ｂ）をそれぞれ備えた導体である。
第１実施形態のコンデンサユニット１０１の場合、一対の電極１０２ａ、１０２ｂのうち一方の電極１０２ａのみが、その本体部１０３（１０３ａ）の端にもう一方（他方）の電極１０２ｂ側へ立設し且つもう一方（他方）の電極１０２ｂとは略平行でない非平行部１０４（１０４ａ）も備えており、この非平行部１０４が本体部１０３の両端に立設されている場合、電極１０２は、断面視で略コ字型（略Ｃ字型）であるとも言える。
【００９２】
一対の電極１０２の間の距離は、特に限定はないが、所定値（例えば、１０ｍｍなど）以上であっても良い。
一対の電極１０２の間には、後述のケーシング１０５（検電器１１０のケーシング１１２）に内蔵される充放電回路１３１や基板１３３等があるが、その他は、空洞（空気）であったり、比誘電率が１より大きい誘電体を挟んでいたり、比誘電率が１の状態（つまり、電極間が真空の状態）であるなど、何れの状態でも構わない。
【００９３】
一対の電極１０２間の静電容量は、特に制限はないが、例えば、０．００５ｐＦ以上５００００．０００ｐＦ以下であったり、好ましくは０．０１ｐＦ以上１００００．００μＦ以下、更に好ましくは０．１ｐＦ以上１０００．００ｐＦ以下（０．５ｐＦや４ｐＦ、２０ｐＦ、１００ｐＦ、２００ｐＦ、２５０ｐＦなど）でも良い。
その他、一対の電極１０２は、同じ素材等であったり、その逆に、異なる素材であっても構わないが、それらの素材については後述する。
又、一対の電極１０２は、所定の電界Ｅ（後述する電路Ｒ（交流電路Ｒ’等）の通電により生じる電界Ｅなど）内に位置させた際に、当該一対の電極１０２間の電位差が生じる。
【００９４】
＜電極１０２の本体部１０３＞
特に、図１０（ａ）に示したように、本体部１０３（１０３ａ、１０３ｂ）は、一対の電極１０２（１０２ａ、１０２ｂ）の両方に備えられ（電極１０２の一部であり）、互いに略平行な部分である。
ここで、「略平行」とは、例えば、平らな導体同士が略平行となる状態だけでなく、その他、側面視で、後述の変形例のように湾曲したり、波形やジグザクに屈曲している導体同士であっても、一対の導体において、対向する（向かい合う）任意の箇所、又は、互いに最も近接した任意の箇所で、その任意の箇所間の距離が略同じであるとも言える。
【００９５】
一対の本体部１０３ａ、１０３ｂは、互いに略平行であれば、その形状は特に限定がなく、例えば、何れもが略板状体や略直方体であったり、何れか一方が略板状体で、他方が略直方体であっても良い。
一対の本体部１０３ａ、１０３ｂは、平面視形状も、何れであっても良く、例えば、略矩形や略正方形であったり、略円形、略楕円形、三角形や六角形などであっても構わない。
【００９６】
その他、一対の本体部１０３ａ、１０３ｂ同士は、同じ形状・大きさ、同じ厚み等であっても良く、その逆に、異なる形状・大きさ、異なる厚み等であっても構わない。
又、各本体部１０３ａ、１０３ｂは、それぞれ多少の凹凸が形成されていても良く、これら凸部の上面や凹部の底面が、もう一方の本体部１０３と略平行であれば構わない。
【００９７】
尚、各本体部１０３ａ、１０３ｂにおける凹凸の側面（外側面や内側面、端面など）は、もう一方の本体部１０３と略平行でないのであれば、当該本体部１０３の端に形成されていない場合でも、後述する非平行部１０４であるとも言える。
以下、その非平行部１０４について述べる。
【００９８】
＜電極１０２の非平行部１０４＞
特に、図１０（ａ）に示したように、非平行部１０４（１０４ａ）は、第１実施形態においては、一対の電極１０２ａ、１０２ｂのうち一方（一方の電極１０２ａ）のみに備えられている（電極１０２ａの一部である）。
非平行部１０４ａは、一方の本体部１０３ａの端にもう一方の電極１０２ｂ側へ立設し且つもう一方の電極１０２ｂとは略平行でない。
【００９９】
ここで、「立設する」とは、本体部１０３ａと当該非平行部１０４ａは、１つの電極１０２ａとして連続しつつ、本体部１０３ａ（の表面）と当該非平行部１０４ａ（の表面）間の角度が略０°（ゼロ度）ではない状態を言い、当然、もう一方の電極１０２ｂと当該非平行部１０４ａ（の延長）間の角度も略０°ではない状態（つまり、もう一方の電極１０２ｂとは略平行でない状態）となる。
尚、本体部１０３ａと非平行部１０４ａ間の角度は、略０°ではなければ何れの値でも良いが、例えば、略９０°であったり（つまり、非平行部１０４ａは、本体部１０３ａ（やもう一方の電極１０２ｂ）と略直交していたり）、その他、３０°や４５°、６０°など所定の角度であっても良い。
【０１００】
非平行部１０４ａの立設についても、その断面視で直線状であったり、その他、湾曲していても良い。
このような非平行部１０４は、本体部１０３ａにおいて、少なくともその端に立設していれば良い。
【０１０１】
詳解すれば、非平行部１０４ａは、本体部１０３ａにおける端のうち、何れか１つの一端にだけでも立設していれば良く、その他、例えば、本体部１０３ａが略矩形や略正方形の略板状体等であれば、４つの端のうち、２つや３つ、又は、４つの端（周端）すべてに非平行部１０４ａが立設していても構わない（図９（ｂ）、図１１参照）。
特に、図１１に示すように、電路Ｒの長手方向Ｌに略直交する本体部１０３ａの端（上下端）に、非平行部１０４が立設している場合には、例えば、電路Ｒが前後方向（図１１中の符号Ｌで指示した両矢印のように、検電器１１０に近接したり離間する方向）に湾曲していたとしても、電路Ｒの通電により生じる電界Ｅを漏れなく捉え易くなる。
又、非平行部１０４ａは、本体部１０３ａが略円形や略楕円形の略板状体等であれば、周端のうち一部にだけ立設していれば良く、又は、周端すべてに非平行部１０４ａが立設していても構わない。
【０１０２】
非平行部１０４ａは、その本体部１０３ａの端だけでなく、本体部１０３ａの中途部（端以外の部分）で形成（立設）されていても良い。
ここで、上述した本体部１０３の中途部にある凹凸の側面を、非平行部１０４ａと捉えても良い。
【０１０３】
＜コンデンサユニット１０１のケーシング１０５、本体側部１０６、連結側部１０７＞
図９〜１２、１５、１６に示したように、コンデンサユニット１０１のケーシング（コンデンサケーシング）１０５は、一対の電極１０２ａ、１０２ｂを保持するもの（筐体）である。
ケーシング１０５は、一対の電極１０２ａ、１０２ｂそれぞれの本体部１０３ａ、１０３ｂを保持する一対の本体側部１０６（１０６ａ、１０６ｂ）と、これらの本体側部１０６ａ、１０６ｂそれぞれの端から立設し且つ一対の本体側部１０６ａ、１０６ｂの間を連結する連結側部１０７を備えている。
【０１０４】
ケーシング１０５は、上述の本体側部１０６ａ、１０６ｂや連結側部１０７を有するのであれば、何れの構成でも良いが、その形状は、略直方体や略立方体であったり、略円柱や、略楕円体、略三角柱、略六角柱であっても良い。
以下、ケーシング１０５は、略直方体として述べ、この場合、略直方体において、対向する最も大きい２つの面側が本体側部１０６ａ、１０６ｂであり、残り４つの面側が連結側部１０７であると言える。
【０１０５】
ケーシング１０５は、後述する発光部１１１用の窓や、取付孔１２３等が設けられていても良い。
ケーシング１０５の素材も、所定の電界Ｅ内に位置させた際に、当該一対の電極１０２ａ、１０２ｂ間の電位差が生じるのであれば、特に限定はないが、例えば、非導電性の合成樹脂製、木製、陶磁器製の素材であっても良い。
尚、ケーシング１０５は、一方の本体側部１０６ａに（４つの）連結側部１０７が一体化している等の構成でも良く（図９（ｂ）参照）、これら一方の本体側部１０６ａ及び連結側部１０７に対して、他方の本体側部１０６ｂを、所定数のネジ１１６等で留めたり（図１４参照）、溝等に沿って嵌め込む構造であっても良い。
【０１０６】
＜被覆電極１０２’＞
特に、図９（ｂ）に示したように、被覆電極１０２’は、上述したケーシング１０５の内面に導電素材を被覆して構成され、一対の電極１０２ａ、１０２ｂのうち一方又は両方が、この被覆電極１０２’となる。
ここで、「導電素材」とは、銅やニッケル、鉄、銅、アルミニウム、銀、金、ニクロム等の導電性の素材を蒸着（真空蒸着や化学気層蒸着（ＣＶＤ）など、乾式メッキとも言う）して形成される被膜（蒸着層）であったり、銅やニッケル等の導電性の素材を含む導電塗料であったり、同じく銅やニッケル等の導電性の素材をメッキ（電気メッキ、化学メッキなど、湿式メッキとも言う）して形成される被膜などであっても良い。
その他、「導電素材」とは、銅やニッケル等の導電性の素材を溶融させて被膜したり、スパッタリングして形成される被膜などであっても良い。
【０１０７】
被覆電極１０２’の厚さも、特に限定はないが、例えば、蒸着の場合、その蒸着層の厚さは、０．０５μｍ以上３μｍ以下（例えば、０．１μｍや０．３μｍ、１．０μｍ、２．５μｍなど）であったり、導電塗料の場合、その塗膜の厚さは、１０μｍ以上５０μｍ以下（２０μｍ、３０μｍ、４０μｍなど）であっても良い。
又、メッキの場合、被覆電極１０２’（被膜）の厚さは、銅メッキであれば、０．５μｍ以上３μｍ以下（例えば、０．８μｍや１．２μｍ、１．５μｍ、２．０μｍなど）であり、ニッケルメッキであれば、０．１０μｍ以上０．４０μｍ以下（０．２５μｍなど）であっても構わない。
その他、被覆電極１０２’（被膜）の厚さとしては、何れの方法による場合であっても良いが、例えば、０．０１μｍ以上５０μｍ以下であるとしても構わない。
【０１０８】
このような被覆電極１０２’（１０２ａ’）が本体部１０３（１０３ａ）及び非平行部１０４（１０４ａ）の両方を備えている場合には、本体部１０３ａは、ケーシング１０５の本体側部１０６ａの内面に構成され、非平行部１０４ａはケーシング１０５の連結側部１０７の内面に構成される。
ここで、連結側部１０７の内面に構成された非平行部１０４ａは、当然に、もう一方の電極１０２ｂに接触しない範囲までにしか被覆されない。
つまり、被覆電極１０２ａ’は、その非平行部１０４ａが、本体側部１０６ａと連結側部１０７とに亘って、且つ、連結側部１０７においても、少なくとも一方の本体側部１０６ａ寄りの部分に被覆して構成されれば良く、必ずしも連結側部１０７の内面全てに被覆されるものではない。
【０１０９】
一方、被覆電極１０２ａ’が本体部１０３ａのみを備えている場合には、上述したように、本体部１０３ａは、ケーシング１０５の本体側部１０６ａの内面のみに構成される。
尚、一対の電極１０２ａ、１０２ｂのうち一方の電極１０２ａのみが、被覆電極１０２’であれば、他方の電極１０２ｂは、被覆電極１０２’以外のもの（後述する金属プレート１０２”）で構成される。
以下、この金属プレート１０２”について述べる。
【０１１０】
＜金属プレート１０２”＞
特に、図９、図１０（ａ）、図１４等に示したように、金属プレート１０２”は、一対の電極１０２ａ、１０２ｂのうち、一方の電極１０２ａが上述した被覆電極１０２’であった場合、他方の電極１０２ｂを構成する。
金属プレート１０２”（１０２ｂ”）は、鉄、銅、アルミニウム、銀、金、ニクロム等の導電性の金属製である。
【０１１１】
このような金属プレート１０２ｂ”が本体部１０３（１０３ｂ）及び非平行部１０４（１０４ｂ）の両方を備えている場合には、１つの金属プレート１０２”の端等を折り曲げて非平行部１０４ｂとしたり、本体部１０３ｂに対して、非平行となるように溶接等により非平行部１０４ｂを接合して構成しても良い。
一方、金属プレート１０２ｂ”が本体部１０３ｂのみを備えている場合には、当然に、その形状は、略板状体となる。
尚、金属プレート１０２ｂ”には、後述する取付孔１２３等が設けられていても良い。
【０１１２】
＜第１実施形態のコンデンサユニット１０１の変形例＞
本発明の第１実施形態に係るコンデンサユニット１０１の変形例において第１実施形態と最も異なるのは、一対の電極１０２ａ、１０２ｂにおける本体部１０３（１０３ａ、１０３ｂ）が、湾曲している点である。
【０１１３】
詳解すれば、変形例は、例えば、後述するケーブルなど断面略円形状（又は断面略楕円形）等の電路Ｒを取り囲むように湾曲し、一対の本体部１０３ａ、１０３ｂは、断面視で電路Ｒをぐるっと取り囲むように、それぞれが略同心円上の円弧形状となっている。
このように一対の本体部１０３ａ、１０３ｂが湾曲している場合であっても、対向する（向かい合う）任意の箇所、又は、互いに最も近接した任意の箇所で、その任意の箇所間の距離が略同じであるとも言えることから、互いに略平行である。
【０１１４】
このように、一対の本体部１０３ａ、１０３ｂが湾曲することで、電路Ｒから遠ざかるにつれて放射状に広がる所定の電界Ｅ（例えば、後述する電路Ｒの通電により生じる電界Ｅなど）を、より漏れなく捉えることが出来ると言える。
その他のコンデンサユニット１０１の構成、作用効果及び使用態様は、第１実施形態と同様である。
【０１１５】
＜第２実施形態のコンデンサユニット１０１＞
図１０（ｂ）には、本発明の第２実施形態の変形例に係るコンデンサユニット１０１が示されている。
この第２実施形態において第１実施形態と最も異なるのは、非平行部１０４（１０４ａ、１０４ｂ）が、一対の電極１０２ａ、１０２ｂの両方に備えられている（それぞれの電極１０２ａ、１０２ｂの一部である）点である。
【０１１６】
このように、両方の電極１０２ａ、１０２ｂに非平行部１０４ａ、１０４ｂがあることで、例えば、電路Ｒから遠ざかるにつれて放射状に広がる所定の電界であっても、２つの電極１０２ａ、１０２ｂそれぞれに非平行部１０４ａ、１０４ｂが設けられている分だけ、より漏れなく捉えることが出来るとも言える。
その他のコンデンサユニット１０１の構成、作用効果及び使用態様は、第１実施形態やその変形例と同様である。
【０１１７】
＜第２実施形態の検電器１１０＞
図９〜１７に示したように、第２実施形態に係る検電器１１０は、第１、２実施形態等のコンデンサユニット１０１を備え、このコンデンサユニット１０１からの電流を用いて、電路Ｒの通電を検査するものである。
検電器１１０は、当該検電器１１０を電路Ｒの通電により生じる電界Ｅ内に位置させた際に、コンデンサユニット１０１の一対の電極１０２（１０２ａ、１０２ｂ）間の電位差による電流で点灯する発光部１１１を備えている。
【０１１８】
又、検電器１１０におけるコンデンサユニット１０１は、一対の電極１０２ａ、１０２ｂのうち、一方の電極１０２ａは、本体部１０３と非平行部１０４を備えた被覆電極１０２’（１０２ａ’）であり、他方の電極１０２ｂは、本体部１０３のみを備えた金属プレート１０２”（１０２ｂ”）であっても良い。
更に、検電器１１０におけるコンデンサユニット１０１は、一対の電極１０２ａ、１０２ｂのうち、一方の被覆電極１０２ａ’は、他方の金属プレート１０２ｂ”より電路Ｒから遠くに位置していたり、一方の被覆電極１０２ａ’の本体部１０３ａは、他方の金属プレート１０２ｂ”の本体部１０３ｂと略同じ大きさ又はより大きくても良い。
【０１１９】
＜第２実施形態の検電器１１０のケーシング１１２＞
特に、図９、１４に示したように、検電器１１０のケーシング（検電ケーシング）１１２は、上述したコンデンサユニット１０１のケーシング（コンデンサケーシング）１０５を兼用している。
詳解すれば、検電ケーシング１１２は、後述する充放電回路１３１が実装された基板１３３も内蔵しており、カバー（蓋、前面）１１３側と、基板１３３を支持するシャーシ１１４を有している。
【０１２０】
これらのうち、カバー１１３が、上述した一方の被覆電極１０２ａ’を保持する一方の本体側部１０６ａと４つの連結側部１０７であって、これら各側部１０６ａ、１０７が一体成形されている。
このカバー１１３（一方の本体側部１０６ａと連結側部１０７）の内面に、導電素材が被覆されることで、一方の被覆電極１０２ａ’が保持（構成）されている（図９（ｂ）参照）。
【０１２１】
これに対して、シャーシ１１４は、上述した他方の金属プレート１０２”を、その背面側で保持しており、他方の本体側部１０６ｂとなっている。
又、基板１３３とシャーシ１１４や、シャーシ１１４と他方の金属プレート１０２”は、両面テープ１１５にて貼り付けられていても良く、シャーシ１１４とカバー１１３は、上述したように、所定数のネジ１１６によって留められても良い。
【０１２２】
その他、検電器１１０は、コンデンサユニット１０１からの電流を充電・放電する充放電回路１３１を備えていたり、後述する電路Ｒが交流電路Ｒ’であれば、交流電流を直流電流に変換する整流器１１７を備えていても良い。
そこで、このような検電器１１０が通電の検査をする電路Ｒについて、まず詳解する。
【０１２３】
＜電路Ｒ（交流電路Ｒ’）、電界Ｅなど＞
図１０〜１３、１５〜１７に示したように、電路Ｒは、長手方向Ｌを有した電流の通路、又は、電気回路であって、検電器１１０に導通されて、電流が流れているか（通電しているか）を検査されるものであって、銅、アルミニウム、銀、金、ニクロム等の導体や、この導体を絶縁物で覆ったケーブル、一般的な電線などを含む。
電路Ｒに流れる電流は、交流電流、直流電流の何れでも良く、交流電流が流れる電路を交流電路Ｒ’とし、直流電路が流れる電路を直流電路Ｒ”とする。
【０１２４】
電路Ｒは、電流が流れるのであれば、何れの構成でも良いが、例えば、交流電路Ｒ’としては、太陽光発電プラント（太陽光発電所）の配電盤内において、所定の電圧（例えば、高圧であれば６６００Ｖや２２０００Ｖなど、低圧であっても１００Ｖ〜２００Ｖなど）の三相ケーブル（そのうちの１本や２本）や、バスバーでも良い（図９、１４、１７参照）。
尚、図１７に示したように、配電盤内は薄暗く、更にカバー越しであれば、交流電路Ｒ’の位置が確認しにくいが、検電器１１０の発光部１１１によって、使用者に容易に通電している状態を示せる。
その他の交流電路Ｒ’の例としては、商用電源として家屋、建物に設けられたコンセントやブレーカーをはじめ、送電設備などであっても良い。
【０１２５】
一方、直流電路Ｒ”の例としては、太陽光発電プラントにおいて、多数の太陽電池パネルや、これらの太陽電池パネルを複数直列に繋げた多数の太陽電池ストリングや、これらの太陽電池ストリングを複数本纏める接続箱における直流ケーブルでも良い。
その他の直流電路Ｒ”の例としては、直流電流が流れる電化製品をはじめ、デスクトップ型やノート型などのコンピュータ、オフィス機器、各種端末などであっても良い。
以下では、電路Ｒは、交流電路Ｒ’（特に、６６００Ｖや２２０００Ｖの三相ケーブル）であるとして述べる。
【０１２６】
＜第２実施形態の検電器１１０におけるコンデンサユニット１０１の役割＞
図１２に示したように、検電器１１０において、コンデンサユニット１０１の役割は、その一対の電極１０２からの電流を、後述する充放電回路１３１への入力電流Ｘとすることである。
より具体的には、コンデンサユニット１０１の一方の被覆電極１０２ａ’と他方の金属プレート１０２ｂ”は、それぞれが、充放電回路１３１への入力配線Ｘに接続されており、この一対の電極１０２（被覆電極１０２ａ’と金属プレート１０２ｂ”）を、上述した電路Ｒ（交流電路Ｒ’等）の通電により生じる電界Ｅ内に位置させた際は、当該一対の電極１０２ａ’、１０２ｂ”間に電位差が生じる。
【０１２７】
従って、一対の電極１０２ａ’、１０２ｂ”は、検電器１１０におけるゲートコンデンサ１２１（一対のゲート電極１２１ａ、１２１ｂ）であるとも言える。
カバー１１３側のゲート電極１２１ａである被覆電極１０２ａ’は、充放電回路１３１における一方の入力配線Ｘ’（Ｘａ’）に、ゲート接触子（例えば、ポリウレタンフォームに導電布を巻付けたガスケットなど）１１８を介して接続されても良い。
【０１２８】
又、シャーシ１１４側のゲート電極１２１ｂである金属プレート１０２”は、シャーシ１１４背面側に設けた凹部に、両面テープ１１５を介して取り付けられて、充放電回路１３１における他方の入力配線Ｘ’（Ｘｂ’）に、ゲート電極配線１２０を介して接続されても良い。
このゲート電極配線１２０は、充放電回路１３１の基板１３３における部品面（表面）１３３ａ側から貫通孔１３３ｃを通って半田面（裏面）１３３ｂ側へ配線され、配線端子１２０ａを介して、シャーシ１１４背面側の金属プレート１０２”に接続していても良い。
【０１２９】
＜整流器１１７＞
図１２に示されたように、整流器１１７は、交流電路Ｒ’から交流電流を直流電流に変換するものである（図１２中においてはＤ１及びＤ２で表される）。
整流器１１７は、交流電路Ｒ’から交流電流を直流電流に変換できるのであれば、何れの構成でも良いが、例えば、２つのダイオード部材と組み合わさって１つの素子となったものを２つ用いても構わない。
【０１３０】
＜充放電回路１３１＞
図１２等に示したように、充放電回路１３１は、コンデンサユニット１０１（ゲートコンデンサ１２１）からの電流（入力電流Ｘ）を別の蓄電装置１３２に充電し、この蓄電装置蓄電装置１３２から放電する電流（出力電流Ｙ）で、後述する発光部１１１を点灯させる回路である。
充放電回路１３１は、ゲートコンデンサ１２１からの電流を、蓄電装置１３２に充電・放電させるのであれば、何れの構成であっても良いが、例えば、蓄電装置１３２を、ゲートコンデンサ１２１とは別のチャージコンデンサ１３２としても良い。
【０１３１】
更に、充放電回路１３１は、このチャージコンデンサ１３２を複数有し、これら複数のチャージコンデンサ１３２を、充電時には直列に接続し、放電時には並列に接続する構成としても良い。
尚、チャージコンデンサ１３２の個数は、２つや３つ、４つ以上など、複数であれば、何れの値でも良い。
【０１３２】
各チャージコンデンサ１３２の静電容量は、特に制限はないが、例えば、０．００１μＦ以上１００００．０００μＦ以下であったり、好ましくは０．０１μＦ以上５０００．００μＦ以下、更に好ましくは０．１μＦ以上１０００．００μＦ以下（２．２μＦなど）でも良い。
更に、チャージコンデンサ１３２における電極間には、比誘電率が１より大きい誘電体を挟んでいたり、比誘電率が１の状態（つまり、電極間が真空の状態）であるなど、何れの状態でも構わない。
尚、各チャージコンデンサ１３２は、幾つかのコンデンサ部材が集まったものでも良い。
【０１３３】
このような充放電回路１３１のチャージコンデンサ１３２など各素子や、当該各素子を結ぶ素子配線１３４、その他の素子（例えば、雷サージ保護素子など）は、上述した基板１３３の部品面（表面）１３３ａ側に配設される。
このように、充放電回路１３１の基板１３３では、素子配線１３４や上述したゲート電極配線１２０等が配設されているが、これらの配線１２０、１３４のうち、電路Ｒの長手方向Ｌと略平行な配線Ｌ’が、電路Ｒの長手方向Ｌと略平行でない配線（非平行配線）Ｌ”より少なくても良い。
【０１３４】
ここで、「電路Ｒの長手方向Ｌと略平行な配線Ｌ’が、電路Ｒの長手方向Ｌと略平行でない配線Ｌ”より少ない」とは、充放電回路１３１の基板１３３における配線１２０、１３４のうち、電路Ｒの長手方向Ｌと略平行な配線の本数Ｌ’が、電路Ｒの長手方向Ｌと略平行でない配線Ｌ”の本数より少ない場合や、電路Ｒの長手方向Ｌと略平行な配線Ｌ’すべてを合計した総長さが、電路Ｒの長手方向Ｌと略平行でない配線Ｌ”すべてを合計した総長さより少ない（短い）場合、又は、その両方同時の場合など、何れの場合も含む。
尚、電路Ｒの長手方向Ｌと略平行でない配線Ｌ”には、平面視（又は正面視）で、電路Ｒの長手方向Ｌと略直交する配線Ｌａ”や、電路Ｒの長手方向Ｌと斜めに交わる配線Ｌｂ”などを意味する。
【０１３５】
＜発光部１１１＞
図１２〜１７に示されたように、発光部１１１は、充放電回路１３１（チャージコンデンサ１３２）から放電される出力電流Ｙで、電路Ｒ（交流電路Ｒ’等）が通電している状態を、光で表すものである（図１２中においては、ＬＥＤ１で表される）。
発光部１１１は、交流電路Ｒ’等が通電している状態を光の点滅で表すなど、何れの構成であっても良く、上述した充放電回路１３１の出力配線Ｙ’に接続されている。
【０１３６】
発光部１１１は、具体的には、発光ダイオード（ＬＥＤ）や有機ＥＬ（有機エレクトロルミネッセンス）、ネオンランプの他、発光するものであれば、ハロゲンランプ、白熱電球、蛍光ランプ（蛍光灯）、水銀ランプ（水銀灯）等の放電灯であっても良い。
以下は、発光部１１１が主に発光ダイオードであるとして述べる。
【０１３７】
発光部１１１は、上述した充放電回路１３１によって、所定の発光周期Ｔで発光（点灯）する構成でも良く、この発光周期Ｔに対する発光部１１１の発光時間Ｔ’のデューティ比Ｄ（つまり、デューティ比Ｄ＝（発光時間Ｔ’）÷（発光周期Ｔ））が、０．０００００１以上０．５０００００以下であっても良い。
尚、発光部１１１は、検電器１１０のケーシング（検電ケーシング）１１２に内蔵される際に、レンズ１２２を被せられていても良く、このレンズ１２２と検電ケーシング１１２のカバー１１３は、互いに両面テープ１１５で貼り付けられていても良い。
【０１３８】
＜第２実施形態の検電器１１０の使用＞
図１５〜１７等に示したように、第２実施形態に係る検電器１１０の使用に際しては、電路Ｒの形態（ケーブルかバスバーかなど）に応じた固定手段にて、電路Ｒに取り付けても良い。
特に、図１５で示したように、例えば、電路Ｒがケーブルである場合には、当該ケーブルにホースバンド等の固定手段１２５を用いてブラケット（ブラケット板金）１２４を取り付け、このブラケット１２４を介して、検電ケーシング１１２の背面側を、電路Ｒに近接・接近させた状態で、検電ケーシング１１２の一端部（下部）を貫通する取付孔１２３に対して、ボルト・ワッシャ等の固定手段１２５を用いて、電路Ｒに取り付けても良い。
【０１３９】
又、特に、図１６、１７に示したように、例えば、電路Ｒが断面略矩形状等のバスバーである場合には、当該バスバーにネジ孔を設け、このネジ孔を介して、検電ケーシング１１２の背面側を、電路Ｒに近接・接近させた状態で、検電ケーシング１１２の取付孔１２３に対して、固定手段１２５を用いて、電路Ｒに取り付けても良い。
その他、検電ケーシング１１２の一端部に溝１２６を形成し、この溝に沿わせる結束バンド（図９（ａ）参照）等の固定手段１２５を用いて、検電器１１０を電路Ｒに取り付けても良い。
【０１４０】
＜第２実施形態の検電器１１０のその他の部材＞
図１２に示したように、第２実施形態に係る検電器１１０は、上述した充放電回路１３１や、そのチャージコンデンサ１３２、素子配線１３４、ゲート電極配線１２０、発光部１１１、整流器１１７等の他に、抵抗部材や雷サージ保護素子などを有していても良く、以下に例示する。
図１２中のＲ１やＺ１は、雷保護用素子であって、まずＲ１の抵抗部材は、整流器１１７以降の回路に瞬時に高電圧が印加されるのを防止すると言え、Ｚ１の雷サージ保護素子は、整流器１１７の内部抵抗で端子間の電圧が増加した際、アースへ電流を流し端子電圧の上昇を防止すると言える。
【０１４１】
＜その他＞
本発明は、前述した実施形態に限定されるものではない。充放電回路１、第１実施形態の検電器２０、コンデンサユニット１０１、第２実施形態の検電器１１０等の各構成又は全体の構造、形状、寸法などは、本発明の趣旨に沿って適宜変更することが出来る。
＜充放電回路１と、第１実施形態の検電器２０＞
充放電回路１は、コンデンサ２からの放電時に、入力電流Ｘがコンデンサ２に流入しないようにするスイッチ（充電可否スイッチなど）を有していても良い。
【０１４２】
複数のコンデンサ２が、主に上述した場合とは逆に、充電時に並列電流状態Ｊ２で、放電時に直列電流状態Ｊ１となる（低圧→高圧となる）場合には、上述の充放電回路１において出力配線Ｙ’だった側が入力配線Ｘ’側となり、充放電回路１において入力配線Ｘ’だった側は出力配線Ｙ’側となる。
複数のコンデンサ２が、充電時に並列電流状態Ｊ２で、放電時に直列電流状態Ｊ１となる場合には、直列配線５における中間ダイオード６のうち何れか１つが切替スイッチ３となり、並列配線９Ａ、９Ｋにおける切替スイッチ３は並列用ダイオード１０となる。
この場合には、アノード端コンデンサ２Ａのアノード端外側電極８Ａ側が、ＧＮＤ側となり、放電スイッチ４がローサイドスイッチであれば、ＮチャンネルＭＯＳＦＥＴでの放電スイッチ４は、そのゲート（Ｇ）やドレイン（Ｄ）は、上述通りに接続されるが、そのソース（Ｓ）は、充放電回路１における高電位側の出力配線Ｙ’であるアノード端外側電極８Ａに接続される。
【０１４３】
一方、複数のコンデンサ２が、充電時に並列電流状態Ｊ２で、放電時に直列電流状態Ｊ１となる場合には、放電スイッチ４がハイサイドスイッチであれば、ＰチャンネルＭＯＳＦＥＴでの放電スイッチ４は、そのゲート（Ｇ）やドレイン（Ｄ）は、上述通りに接続されるが、そのソース（Ｓ）は、充放電回路１におけるＧＮＤ側の出力配線Ｙ’であるカソード端外側電極８Ｋに接続される。
更に、この場合には、タイマー電源配線１３は、タイマー部１１の電源端子１２を、上述した直列配線５におけるアノード端コンデンサ２Ａと、当該コンデンサ２Ａに隣接する中間ダイオード６とのダイオード・コンデンサ間７Ｄを接続した配線であり、このタイマー電源配線１３に、上述と同様の順方向に電源用ダイオード１４が配設される。
【０１４４】
コンデンサ２の個数は、上述したように、複数であれば、２つや３つ、４つ以上でも良く、図１においては、コンデンサ２は４つ（図１中のＣ１〜Ｃ４）であるが、これらのコンデンサ２を３つとする場合（図１中のＡにて示した点線内を削除する場合）には、Ｃ１のコンデンサ２（直列配線５におけるアノード端コンデンサ２Ａ）とこれに並列接続しているツェナーダイオード（図１中のＤ２）、Ｑ１の切替スイッチ３、Ｄ３のダイオード（アノード端コンデンサ２Ａに隣接する中間ダイオード６と、並列用ダイオード１０）を実装せずとも良い。
【０１４５】
尚、この場合、図１中のＲ１の抵抗値を０Ωとする（つまり、実質的には、抵抗なしの配線のみとする）。
このＲ１について更に言及すれば、図１においては、コンデンサ２が４つである場合には、このＲ１の抵抗値を十分に大きな抵抗（例えば、何ＭΩなど）としても良い（つまり、実質的には、このＲ１によって導通させなくとも良い）。
その他、充放電回路１は入力電流Ｘが入力されなくなった際（検電器２０が通電している電路Ｒ（交流電路Ｒ’等）の電界Ｅから離れた際など）には、複数のコンデンサ２から出力電流Ｙが放電され続け、所定時間後（例えば、約１０秒後）に、各コンデンサ２に充電された電荷が０（ゼロ）となる（放電し切る）ものとしても良い。
【０１４６】
＜碍子４０＞
図８に示したように、第１実施形態の検電器２０は、碍子４０に取り付けられていても良い。
このとき、一対のゲート電極２１（ゲートコンデンサ２１’）は、碍子４０に内蔵されることとなり、そのゲート電極２１間には、比誘電率が１より大きい誘電体（エポキシ樹脂やＰＥＴ樹脂、ナイロン樹脂等の合成樹脂、石英ガラス、陶磁器などの素材）を挟むこととなる。
【０１４７】
このように、ゲートコンデンサ２１’を碍子４０に内蔵し、碍子４０に第１実施形態の検電器２０を取り付けることで、交流電路Ｒ’において取り付けられる碍子と検電器を兼用でき、省スペース化が図れる。
碍子４０は、電路Ｒ（交流電路Ｒ’等）と支持物の間を絶縁し、ゲートコンデンサ２１’を内蔵するものであれば、何れの構成でも良い。
尚、ゲートコンデンサ２１’は、そのゲート電極２１ａ、２１ｂのうち、低電位側（電路Ｒ側でない側）だけが、充放電回路１の高電位側（例えば、一方の入力配線Ｘａ’）に接続されており、充放電回路１の低電位側（例えば、他方の入力配線Ｘｂ’）は接地（ＧＮＤに接地）されている。
【０１４８】
第１実施形態の検電器２０は、通電の状態を検査（検電）する電路Ｒ（交流電路Ｒ’や直流電路Ｒ”）に後付け可能な構成としたり、又、電路Ｒの製造当初から取り付けていても良い。
検電器２０は、一旦、電路Ｒに取り付けた後は、そのまま付けたままで、常に検電を行う構成としたり、検電する時だけ取り付ける構成としても良い。
又、電路Ｒが直流電路Ｒ”であれば、検電器２０において、上述した整流器２３は不要となる。
【０１４９】
＜コンデンサユニット１０１と、第２実施形態の検電器１１０＞
コンデンサユニット１０１又は第２実施形態の検電器１１０は、その一対の電極１０２の少なくとも一方が非平行部１０４を備えるが、その各電極１０２に対して、断面視で、非平行部１０４は、本体部１０３の一端だけに（つまり、１つだけ）立設したり、本体部１０３の両端に（つまり、２つ）立設したり、更には、本体部１０３の両端又は一端に加えて、当該本体部１０３の中途部で１つ又は複数（つまり、合計で２つ又は３つ以上）立設しても良い。
コンデンサユニット１０１又は検電器１１０は、その一対の電極１０２ａ、１０２ｂのうち、両方が金属プレート１０２”であっても良い。
【０１５０】
第２実施形態の検電器１１０におけるコンデンサユニット１０１（ゲートコンデンサ１２１）は、一対の電極１０２ａ、１０２ｂの両方が、電路Ｒから略同じ距離に位置していても良く、一対の電極１０２ａ、１０２ｂそれぞれが、電路Ｒから異なる距離に位置している場合でも、上述とは逆に、電路Ｒから遠い位置にある一方の電極１０２ａの方が、電路Ｒにより近い位置にある他方の電極１０２ｂより小さくても良い。
又、検電器１１０におけるゲートコンデンサ１２１は、一対の電極１０２ａ、１０２ｂの両方が、非平行部１０４を備えていても良い。
検電器１１０は、充放電回路１３１を備えていなくとも良く、ゲートコンデンサ１２１における一対の電極１０２間に生じた電位差による電流を、コンデンサ等に充電などすることなく、直接、発光部１１１に流して、当該発光部１１１を点灯させる構成であっても良い。
【０１５１】
充放電回路１３１における蓄電装置１３２は、チャージコンデンサ１３２以外に、鉛蓄電池やリチウムイオン蓄電池、ニッケル・水素蓄電池、ニッケル・カドミウム蓄電池などの蓄電池（バッテリ）１３２であっても良い。
充放電回路１３１は、複数のチャージコンデンサ１３２を、充電時には直接に接続し、放電時にては並列に接続する回路以外であっても良く、例えば、比較器を用いて、チャージコンデンサ１３２の充電電圧が所定値を越えたことを検出して、発光部１１１を点灯し、この発光部１１１の点灯でチャージコンデンサ１３２の充電電圧が所定値以下となると発光部１１１を消灯し、再度、チャージコンデンサ１３２の充電を待つ回路など、何れの構成であっても良い。
【０１５２】
尚、比較器を用いた上述の回路の場合、そのチャージコンデンサ１３２の個数は、複数でなく、１つであっても良い。
検電器１１０の充放電回路１３１の基板１３３は、上述した取付孔１２３周辺の絶縁膜が除去されていても良い。
【０１５３】
＜碍子１４０＞
図１７に示したように、第２実施形態の検電器１１０は、碍子１４０に取り付けられていても良い。
このとき、検電器１１０におけるゲートコンデンサ１２１（コンデンサユニット１０１）は、碍子１４０に内蔵されることとなり、そのゲート電極１２１ａ、１２１ｂ間には、比誘電率が１より大きい誘電体（エポキシ樹脂やＰＥＴ樹脂、ナイロン樹脂等の合成樹脂、石英ガラス、陶磁器などの素材）を挟むこととなる。
【０１５４】
このように、ゲートコンデンサ１２１を碍子１４０に内蔵し、碍子１４０に検電器１１０を取り付けることで、交流電路Ｒ’において取り付けられる碍子と検電器を兼用でき、省スペース化が図れる。
碍子１４０は、電路Ｒ（交流電路Ｒ’等）と支持物の間を絶縁し、ゲートコンデンサ１２１を内蔵するものであれば、何れの構成でも良い。
尚、ゲートコンデンサ１２１は、そのゲート電極１２１ａ、１２１ｂのうち、低電位側（電路Ｒ側でない側）だけが、充放電回路１３１の高電位側（例えば、一方の入力配線Ｘａ’）に接続されており、充放電回路１３１の低電位側（例えば、他方の入力配線Ｘｂ’）は接地（ＧＮＤに接地）されている。
尚、充放電回路１３１は、上述した第１実施形態や第２実施形態の充放電回路１であっても良い。
【０１５５】
第２実施形態の検電器１１０は、通電の状態を検査（検電）する電路Ｒ（交流電路Ｒ’や直流電路Ｒ”）に後付け可能な構成としたり、又、電路Ｒの製造当初から取り付けていても良い。
検電器１１０は、一旦、電路Ｒに取り付けた後は、そのまま付けたままで、常に検電を行う構成としたり、検電する時だけ取り付ける構成としても良い。
又、電路Ｒが直流電路Ｒ”であれば、検電器１１０において、上述した整流器１１７は不要となる。
【０１５６】
＜昇圧する充放電回路１における直列配線５’、並列配線９Ａ’、９Ｋ’など＞
充放電回路１は、（特に、図３にて）上述したように、複数のコンデンサ２が、その充電時に上述の切替スイッチ３により並列電流状態Ｊ２とされ、その放電前に切替スイッチ３により直列電流状態Ｊ１とされ、直列電流状態Ｊ１とされた後に、放電スイッチ４により出力電流Ｙの放電を開始しても良く、このような順序で充電・放電した場合には、並列に複数のコンデンサ２を所定の電圧で充電した後、その所定の電圧より高い電圧で直列に複数のコンデンサ２から放電することとなり、入力電流Ｘが充放電回路１を経ることで、その電圧を低圧→高圧に昇圧した出力電流Ｙを放電することとなる。
この低圧→高圧に昇圧する充放電回路１における直列配線５’や、並列配線９Ａ’、９Ｋ’などについて述べる。
【０１５７】
図１８に示したように、昇圧する充放電回路１における直列配線５’も、複数のコンデンサ２が直列に接続された配線であるが、この直列配線５’は、上述の降圧する充放電回路１とは逆向きに、隣接する２つのコンデンサ２の間それぞれに、アノードからカソードへの順方向を揃えた中間ダイオード６’が配設されている。
尚、この中間ダイオード６’も、中間ダイオード６’だけで独立して１つの素子であるものでも良いが、後述の昇圧する充放電回路１における並列用ダイオード１０’と組み合わさったものが、１つの素子となったものでも構わない。
【０１５８】
昇圧する充放電回路１におけるアノード並列配線９Ａ’は、上述した中間ダイオード６’それぞれのアノード側と、そのアノード側に隣接するコンデンサとのアノード・コンデンサ間７Ａ’それぞれを、直列配線５’の端に位置し且つ中間ダイオード６’のカソード側のみに隣接するカソード端コンデンサ２Ｋ’における中間ダイオードとは反対側のカソード端外側電極８Ｋ’に接続した配線である。
又、昇圧する充放電回路１におけるカソード並列配線９Ｋ’は、中間ダイオード６’のカソード側と当該カソード側に隣接するコンデンサとのカソード・コンデンサ間７Ｋ’それぞれを、直列配線５’の端に位置し且つ中間ダイオード６’のアノード側のみに隣接するアノード端コンデンサ２Ａ’における中間ダイオードとは反対側のアノード端外側電極８Ａ’に接続した配線である。
【０１５９】
これら２つの並列配線９Ａ’、９Ｋ’のうち一方に、切替スイッチ３が配設され、他方に並列用ダイオード１０’が配設されている。
つまり、＜１＞アノード並列配線９Ａ’に切替スイッチ３が配設され、カソード並列配線９Ｋ’にカソード・コンデンサ間７Ｋ’からアノード端外側電極８Ａ’に向かって順方向に並列用ダイオード１０’が配設されている場合、＜２＞カソード並列配線９Ｋ’に切替スイッチ３が配設され、アノード並列配線９Ａ’にカソード端外側電極８Ｋ’からアノード・コンデンサ間７Ａ’に向かって順方向に並列用ダイオード１０’が配設されている場合、又は、＜３＞アノード並列配線９Ａ’及びカソード並列配線９Ｋ’に切替スイッチ３が配設されている場合の３つが存在することとなる（図１８は、＜２＞の場合となる）。
【０１６０】
上述した＜１＞〜＜３＞のうち、特に＜１＞、＜２＞の場合について、コンデンサ２が３つ以上であって各並列配線９Ａ’、９Ｋ’が２つ以上あるケースを、更に詳解する。
１つの昇圧する充放電回路１において、あるカソード並列配線９Ｋ’−１には切替スイッチ３が配設され、このカソード並列配線９Ｋ’−１に隣接した中間ダイオード６’−１を挟みその反対側にあるアノード並列配線９Ａ’−１には並列用ダイオード１０’が配設されると同時に、また別のカソード並列配線９Ｋ’−２には逆に並列用ダイオード１０’が配設され、そのカソード並列配線９Ｋ’−２に隣接した中間ダイオード６’−２を挟みその反対側にあるアノード並列配線９Ａ’−２には切替スイッチ３が配設されていても、上述の＜１＞、＜２＞の場合に含まれる。
【０１６１】
以下同様に、更に別のカソード並列配線９Ｋ’−３には切替スイッチ３が配設され、その反対側にあるアノード並列配線９Ａ’−３には並列用ダイオード１０’が配設されている等、各アノード並列配線９Ａ’、カソード並列配線９Ｋ’の組ごとに、上述の＜１＞、＜２＞が混在していても良い。
【０１６２】
ここまで述べた昇圧する充放電回路１における直列配線５’・並列配線９Ａ’、９Ｋ’となった複数のコンデンサ２は、その充電時に上述の切替スイッチ３により並列電流状態Ｊ２とされ（図１８（ａ））、その放電前に切替スイッチ３により直列電流状態Ｊ１とされ（図１８（ｂ））、直列電流状態Ｊ１とされた後に、放電スイッチ４により出力電流Ｙの放電を開始しても良い。
このような順序で充電・放電した場合には、並列に複数のコンデンサ２を所定の電圧で充電した後、その所定の電圧より高い電圧で直列に複数のコンデンサ２から放電することとなり、入力電流Ｘが充放電回路１を経ることで、その電圧を低圧→高圧に昇圧した出力電流Ｙを放電することとなる。
【産業上の利用可能性】
【０１６３】
本発明に係る充放電回路は、検電器をはじめ、太陽光発電における監視・制御装置の電源回路や、その他、従来では利用することができなかった、電路などからの無駄な又は邪魔な発生電圧を、高電圧・低電圧を問わず、意図する電圧等に変換し、例えば、ウェアラブルコンピューティング（身体装着可能なコンピュータを利用すること）の電力供給源などにも利用可能である。
又、本発明に係るコンデンサユニットは、検電器をはじめ、太陽光発電における監視・制御装置の電源回路や、その他、従来では利用することができなかった、電路などからの無駄な又は邪魔な電界を、漏れなく捉えることが出来、例えば、ウェアラブルコンピューティング（身体装着可能なコンピュータを利用すること）の電力供給源などにも利用可能である。
更に、本発明に係る検電器は、太陽光発電プラントをはじめ、送電設備や、各家庭用、オフィス、工場において、電路が交流か直流か、電位の高低、碍子の有無、取付位置も問わず、利用可能である。
【符号の説明】
【０１６４】
１        充放電回路
２        コンデンサ（チャージコンデンサ）
２Ａ      アノード端コンデンサ
２Ｋ      カソード端コンデンサ
３        切替スイッチ
４        放電スイッチ
５        直列配線
６        中間ダイオード
７Ａ      アノード・コンデンサ間
７Ｋ      カソード・コンデンサ間
７Ｄ      ダイオード・コンデンサ間
８Ａ      アノード端外側電極
８Ｋ      カソード端外側電極
９Ａ      アノード並列配線
９Ｋ      カソード並列配線
１０      並列用ダイオード
１１      タイマー部
１２      タイマー部の電源端子
１３      タイマー電源配線
１４      電源用ダイオード
２０      （第１実施形態の）検電器
２１      ゲート電極
２２      発光部
２３      整流器
１０１    コンデンサユニット
１０２    電極
１０２’  被覆電極
１０２”  金属プレート
１０３    電極の本体部
１０４    電極の非平行部
１０５    （コンデンサユニットの）ケーシング
１０６    ケーシングの本体側部
１０７    ケーシングの連結側部
１１０    （第２実施形態の）検電器
１１１    発光部
１１２    （検電器の）ケーシング
１３１    充放電回路
１３２    蓄電装置
１３３    充放電回路の基板
Ｘ        入力電流
Ｙ        出力電流
Ｊ１      複数のコンデンサに電流を直列に流す状態
Ｊ２      複数のコンデンサに電流を並列に流す状態
Ｒ        電路
Ｒ’      交流電路
Ｅ        電界
Ｌ        電路の長手方向
【図１】
2018207761.tif 000003
【図２】
2018207761.tif 000004
【図３】
2018207761.tif 000005
【図４】
2018207761.tif 000006
【図５】
2018207761.tif 000007
【図６】
2018207761.tif 000008
【図７】
2018207761.tif 000009
【図８】
2018207761.tif 000010
【図９】
2018207761.tif 000011
【図１０】
2018207761.tif 000012
【図１１】
2018207761.tif 000013
【図１２】
2018207761.tif 000014
【図１３】
2018207761.tif 000015
【図１４】
2018207761.tif 000016
【図１５】
2018207761.tif 000017
【図１６】
2018207761.tif 000018
【図１７】
2018207761.tif 000019
【図１８】
2018207761.tif 000020
【国際調査報告】
2018207761.tif 000021
2018207761.tif 000022
2018207761.tif 000023
2018207761.tif 000024
2018207761.tif 000025
2018207761.tif 000026
2018207761.tif 000027
2018207761.tif 000028